(57)【特許請求の範囲】
【請求項１】
食品を貯蔵する貯蔵室と、
前記貯蔵室内に設けられ、前記貯蔵室内の温度を検出する庫内温度検出手段と、
圧縮機とともに冷凍サイクルを構成し、前記貯蔵室内を冷却する冷気を生成する冷却器と、
前記冷却器にて生成された冷気を前記貯蔵室に供給する庫内ファンと、
前記庫内温度検出手段により検出された前記貯蔵室内の温度が前記圧縮機及び前記庫内ファンを起動させる所定の第１温度よりも低い所定の第２温度まで低下した場合には前記圧縮機を停止させるとともに前記庫内ファンにより冷気を前記貯蔵室に供給し、前記圧縮機が停止してから所定時間が経過しても前記貯蔵室内の温度が前記所定の第２温度よりも低い所定の第３温度まで低下しない場合に前記圧縮機を再起動させるように制御する制御手段と、
を備えたことを特徴とする冷蔵庫。
【請求項２】
前記冷蔵庫は、さらに、
前記冷却器の温度を検出する冷却器温度検出手段を備え、
前記制御手段は、さらに、前記圧縮機が停止してから前記所定時間が経過する前に、前記冷却器温度検出手段により検出された前記冷却器の温度が所定温度以上になった場合に前記圧縮機を再起動させる
ことを特徴とする請求項１に記載の冷蔵庫。
【請求項３】
前記制御手段は、前記圧縮機を再起動させた後、前記庫内温度検出手段により検出された前記貯蔵室内の温度が前記所定の第３温度以下になった場合に前記圧縮機および前記庫内ファンを停止させる
ことを特徴とする請求項１または請求項２に記載の冷蔵庫。
【請求項４】
前記冷蔵庫は、さらに、
前記冷却器にて生成された冷気を前記貯蔵室内に供給するための送風路内に設けられ、前記貯蔵室に供給される冷気量を調整するダンパと、
前記冷却器と前記ダンパとの間の送風路内あるいは前記冷却器が設置されている冷却器室内に設けられ、前記ダンパを閉じることにより前記冷却器と前記ダンパとの間の送風路内あるいは前記冷却器が設置されている冷却器室内の冷気の脱臭を行う脱臭装置とを備え、
前記制御手段は、さらに、前記貯蔵室内の温度が前記所定の第３温度まで低下した場合には前記ダンパを閉じるように制御する
ことを特徴とする請求項１から３までのいずれか１項に記載の冷蔵庫。
【請求項５】
前記制御手段は、前記ダンパを閉じてから所定時間が経過した後に前記庫内ファンを停止させる
ことを特徴とする請求項４に記載の冷蔵庫。
【請求項６】
前記脱臭装置を、
冷気の臭気成分を吸着する脱臭用フィルタと、
前記脱臭用フィルタに吸着した臭気成分を酸化還元反応で分解して前記脱臭用フィルタの寿命延ばす作用を有するリフレッシュ手段と、
によって構成したことを特徴とする請求項４または請求項５に記載の冷蔵庫。
【請求項７】
前記貯蔵室を冷凍室や製氷室としたことを特徴とする請求項１乃至請求項６のうちのいずれか１項に記載の冷蔵庫。
【請求項８】
前記所定の第１温度を前記貯蔵室の冷却に必要な上限温度とし、前記所定の第３温度を前記貯蔵室の冷却に必要な下限温度としたことを特徴とする請求項１乃至請求項７のうちのいずれか１項に記載の冷蔵庫。
【請求項９】
圧縮機とともに冷凍サイクルに接続された冷却器により生成される冷気を庫内ファンにより食品を冷却保存する貯蔵室に供給する冷蔵庫の前記貯蔵室内の温度が所定の第１温度以上になった場合に前記圧縮機および庫内ファンを起動させる圧縮機・庫内ファン起動ステップと、
前記貯蔵室内の温度が前記所定の第１温度よりも低い所定の第２温度以下になった場合に前記圧縮機を停止させるとともに前記庫内ファンにより冷気を前記貯蔵室に供給する圧縮機停止ステップと、
前記圧縮機が停止してから所定時間が経過しても前記貯蔵室内の温度が前記所定の第２温度よりも低い所定の第３温度以下にならない場合に、前記圧縮機を再起動させる圧縮機再起動ステップと、
を備えたことを特徴とする冷蔵庫の運転方法。
【請求項１０】
前記圧縮機再起動ステップでは、さらに、前記圧縮機が停止してから前記所定時間が経過する前に、前記冷却器の温度が所定温度以上になった場合に、前記圧縮機を再起動させる
ことを特徴とする請求項９に記載の冷蔵庫の運転方法。
【請求項１１】
前記冷蔵庫の運転方法は、さらに、
前記圧縮機再起動ステップで前記圧縮機を再起動させた場合において、前記貯蔵室内の温度が前記所定の第３温度以下になった場合に前記圧縮機および前記庫内ファンを停止させる圧縮機・庫内ファン停止ステップ
を備えたことを特徴とする請求項９又は請求項１０に記載の冷蔵庫の運転方法。
【請求項１２】
前記冷蔵庫の運転方法は、さらに、
前記貯蔵室内の温度が前記所定の第３温度以下になった場合に前記貯蔵室内に供給される冷気量を調整するダンパを閉塞させるダンパ閉塞ステップ
を備え、
前記ダンパを閉じることにより前記冷却器が設置されている冷却器室内、あるいは前記冷却器と前記ダンパとの間の送風路内に設けられた脱臭装置に前記庫内ファンにより冷気を供給して前記冷気の脱臭を行なうようにした
ことを特徴とする請求項９又は請求項１０に冷蔵庫の運転方法。
【請求項１３】
前記冷蔵庫の運転方法は、さらに、
前記ダンパが閉塞されてから所定時間経過後に前記庫内ファンを停止させる庫内ファン停止ステップ
を備えたことを特徴とする請求項１２に記載の冷蔵庫の運転方法。
【発明の詳細な説明】
【０００１】
【発明の属する技術分野】
この発明は、圧縮機の運転時間を制御する少エネルギな冷蔵庫および冷蔵庫の運転方法に関するものである。
【０００２】
【従来の技術】
従来の冷蔵庫の運転方法について、図２０を用いて説明する。図２０は従来の冷蔵庫の冷凍室温度と圧縮機および庫内ファンの運転制御の様子を示したタイムチャート図である。図において、横軸は時間を表し、縦軸は冷凍室温度の温度変化、圧縮機および庫内ファンのＯＮ／ＯＦＦを表している。冷凍室内に設けられ冷凍室内の温度を検出する冷凍室温度検出用サーミスタにより検出された冷凍室内の温度がＡ点まで上昇した場合、圧縮機および庫内ファンを同時にＯＮし、冷凍室温度検出用サーミスタにより検出された冷凍室内の温度が必要な冷却温度の下限Ｂ点まで達した場合に圧縮機および庫内ファンをＯＦＦして同時に運転を終了させる。このように圧縮機および庫内ファンのＯＮ/ＯＦＦにより冷凍室の温度を制御し、Ａ点温度とＢ点温度との平均温度により冷凍室内を一定な目標温度に制御している。
【０００３】
また、従来技術として特開平９−８９４３２号公報や特開昭６２−１０５７４号公報などがある。特開平９−８９４３２号公報や特開昭６２−１０５７４号公報に示される冷蔵庫の温度制御は、庫内の温度が必要な所定温度以下になった場合に圧縮機を停止させ、この圧縮機の停止よりも一定時間庫内ファンの停止を遅延させることが示されている。ここで遅延させる時間は冷却器の温度が冷凍室内の温度に上昇するまでの時間に設定されており、冷蔵庫の負荷に関わらず遅延時間はあらかじめ一定値に決められている。
【０００４】
【発明が解決しようとする課題】
以上のように従来の冷蔵庫では、圧縮機の停止後も冷却器の中に残留する冷媒の熱交換や冷却器周辺と冷凍室との間の風路内の冷気の対流により、図２０の時間Ｘで表される区間の冷凍室温度のように冷凍室の温度が必要な所定の下限温度（図中のＢ点）よりも低下していた（図中のＣ点）。ここで、冷凍室の温度は、所定の下限温度（図中のＢ点の温度）まで冷却すれば目標温度を得られるから、Ｂ−Ｃの温度差分（時間Ｘの分）だけ余分に冷却していることになり、余分な消費電力を使用していた。つまり、圧縮機は時間Ｘの分だけ余分な仕事をしていることになり、無駄に電力を消費していた。
【０００５】
また、特開平９−８９４３２号公報のように圧縮機停止後、一定時間後に庫内ファンを停止させると、庫内の温度が必要な温度よりも高くても、低くても把握できず、庫内の温度がわからないままに庫内ファンの運転が停止されるので、たとえば、庫内を冷却しすぎた場合は、無駄に庫内ファンを運転していることになり、電力を無駄に使用していた。また、庫内が冷却不足になっていた場合には、庫内が必要な温度まで低下していないので、食品が損傷しやすい状態になり、また、食品よりのにおいが発生しやすくなっていた。
【０００６】
本発明の目的は、消費電力の小さい少エネルギな冷蔵庫を得ることを目的とする。また、圧縮機の運転時間を短くすることを目的とする。また、食品の損傷を防止する信頼性の高い冷蔵庫を得ることを目的とする。また、圧縮機停止後の冷却器内の残留冷媒を有効に使用することを目的とする。また、食品よりのいやなにおいのしない清潔感のある冷蔵庫を得ることを目的とする。
【０００７】
【課題を解決するための手段】
本発明の請求項１に係る冷蔵庫は、食品を貯蔵する貯蔵室と、前記貯蔵室内に設けられ、前記貯蔵室内の温度を検出する庫内温度検出手段と、圧縮機とともに冷凍サイクルを構成し、前記貯蔵室内を冷却する冷気を生成する冷却器と、前記冷却器にて生成された冷気を記貯蔵室に供給する庫内ファンと、前記庫内温度検出手段により検出された前記貯蔵室内の温度が前記圧縮機及び前記庫内ファンを起動させる所定の第１温度よりも低い所定の第２温度まで低下した場合には前記圧縮機を停止させ、前記貯蔵室内の温度が前記所定の第２温度よりも低い所定の第３温度まで低下した場合には前記庫内ファンを停止させるように制御する制御手段と、を備えたものである。
【０００８】
また、本発明の請求項２に係る冷蔵庫は、前記圧縮機が停止してから所定時間内に前記庫内温度検出手段により検出された前記貯蔵室の温度が前記所定の第３温度まで低下しない場合は、前記所定時間経過後に前記庫内ファンを停止させるようにしたものである。
【０００９】
また、本発明の請求項３に係る冷蔵庫は、前記冷却器の温度を検出する冷却器温度検出手段を設け、前記圧縮機が停止してから所定時間内に前記冷却器温度検出手段により検出された前記冷却器の温度が所定温度以上になった場合は、前記庫内ファンを停止させるようにしたものである。
【００１０】
また、本発明の請求項４に係る冷蔵庫は、食品を貯蔵する貯蔵室と、前記貯蔵室内に設けられ、前記貯蔵室内の温度を検出する庫内温度検出手段と、圧縮機とともに冷凍サイクルを構成し、前記貯蔵室内を冷却する冷気を生成する冷却器と、前記冷却器にて生成された冷気を前記貯蔵室に供給する庫内ファンと、前記庫内温度検出手段により検出された前記貯蔵室内の温度が前記圧縮機及び前記庫内ファンを起動させる所定の第１温度よりも低い所定の第２温度まで低下した場合には前記圧縮機を停止させ、前記圧縮機が停止してから所定時間経過後に前記圧縮機を再起動させるように制御する制御手段と、を備えたものである。
【００１１】
また、本発明の請求項５に係る冷蔵庫は、前記冷却器の温度を検出する冷却器温度検出手段を設け、前記圧縮機の停止後、前記冷却器温度検出手段により検出された前記冷却器の温度が所定温度以上になった場合に前記圧縮機を起動させるようにしたものである。
【００１２】
また、本発明の請求項６に係る冷蔵庫は、前記庫内温度検出手段により検出された前記貯蔵室内の温度が前記所定の第２温度よりも低い所定の第３温度以下になった場合に前記圧縮機および前記庫内ファンを停止させるようにしたものである。
【００１３】
また、本発明の請求項７に係る冷蔵庫は、食品を貯蔵する貯蔵室と、前記貯蔵室内に設けられ、前記貯蔵室内の温度を検出する庫内温度検出手段と、圧縮機とともに冷凍サイクルを構成し、前記貯蔵室内を冷却する冷気を生成する冷却器と、前記冷却器にて生成された冷気を前記貯蔵室内に供給するための送風路内に設けられ、前記貯蔵室に供給される冷気量を調整するダンパと、前記冷却器と前記ダンパとの間の送風路内あるいは前記冷却器が設置されている冷却器室内に設けられ、前記ダンパを閉じることにより前記冷却器と前記ダンパとの間の送風路内あるいは前記冷却器が設置されている冷却器室内の冷気の脱臭を行う脱臭装置と、前記庫内温度検出手段により検出された前記貯蔵室内の温度が前記圧縮機の起動する所定の第１温度よりも低い所定の第２温度まで低下した場合に前記圧縮機を停止させ、前記貯蔵室内の温度が前記所定の第２温度よりも低い所定の第３温度まで低下した場合には前記ダンパを閉じるように制御する制御手段と、を備えたものである。
【００１４】
また、本発明の請求項８に係る冷蔵庫は、前記冷却器にて生成された冷気を前記送風路を介して前記貯蔵室に供給する庫内ファンを備え、前記ダンパ遮断後から所定時間経過後に前記庫内ファンを停止させるようにしたものである。
【００１５】
また、本発明の請求項９に係る冷蔵庫は、前記脱臭装置を、冷気の臭気成分を吸着する脱臭用フィルタと、前記脱臭用フィルタに吸着した臭気成分を酸化還元反応で分解して前記脱臭用フィルタの寿命延ばす作用を有するリフレッシュ手段と、によって構成したものである。
【００１６】
また、本発明の請求項１０に係る冷蔵庫は、前記貯蔵室を冷凍室や製氷室としたものである。
【００１７】
また、本発明の請求項１１に係る冷蔵庫は、前記所定の第１温度を前記貯蔵室の冷却に必要な上限温度とし、前記所定の第３温度を前記貯蔵室の冷却に必要な下限温度としたものである。
【００１８】
また、本発明の請求項１２に係る冷蔵庫の運転方法は、圧縮機とともに冷凍サイクルに接続された冷却器により生成される冷気を庫内ファンにより食品を冷却保存する貯蔵室に供給する冷蔵庫の前記貯蔵室内の温度が所定の第１温度以上になった場合に前記圧縮機および庫内ファンを起動させる圧縮機・庫内ファン起動ステップと、前記貯蔵室内の温度が前記所定の第１温度よりも低い所定の第２温度以下になった場合に前記圧縮機を停止させる圧縮機停止ステップと、前記貯蔵室内の温度が前記所定の第２温度よりも低い所定の第３温度以下になった場合に前記庫内ファンを停止させる庫内ファン停止ステップと、を備えたものである。
【００１９】
また、本発明の請求項１３に係る冷蔵庫の運転方法は、前記圧縮機が停止してから所定時間経過しても前記貯蔵室内の温度が前記所定の第３温度以下にならない場合、あるいは前記冷却器の温度を検出する冷却器温度検出手段により検出された前記冷却器の温度が所定温度以上になった場合に前記庫内ファンを停止させる庫内ファン停止ステップと、を備えたものである。
【００２０】
また、本発明の請求項１４に係る冷蔵庫の運転方法は、圧縮機とともに冷凍サイクルに接続された冷却器により生成される冷気を庫内ファンにより食品を冷却保存する貯蔵室に供給する冷蔵庫の前記貯蔵室内の温度が所定の第１温度以上になった場合に前記圧縮機および庫内ファンを起動させる圧縮機・庫内ファン起動ステップと、前記貯蔵室内の温度が前記所定の第１温度よりも低い所定の第２温度以下になった場合に前記圧縮機を停止させる圧縮機停止ステップと、前記圧縮機が停止してから所定時間が経過しても前記貯蔵室内の温度が前記所定の第２温度よりも低い所定の第３温度以下にならない場合、あるいは前記冷却器の温度が所定温度以上になった場合に前記圧縮機を再起動させる圧縮機再起動ステップと、を備えたものである。
【００２１】
また、本発明の請求項１５に係る冷蔵庫の運転方法は、前記貯蔵室内の温度が前記所定の第２温度よりも低い前記所定の第３温度以下になった場合に前記圧縮機および前記庫内ファンを停止させる圧縮機・庫内ファン停止ステップを備えたものである。
【００２２】
また、本発明の請求項１６に係る冷蔵庫の運転方法は、圧縮機とともに冷凍サイクルに接続された冷却器により生成される冷気を庫内ファンにより食品を冷却保存する貯蔵室に送風路を介して供給する冷蔵庫の前記貯蔵室内の温度が所定の第１温度以上になった場合に前記圧縮機および庫内ファンを起動させる圧縮機・庫内ファン起動ステップと、前記貯蔵室内の温度が前記所定の第１温度よりも低い所定の第２温度以下になった場合に前記圧縮機を停止させる圧縮機停止ステップと、前記貯蔵室内の温度が前記所定の第２温度よりも低い所定の第３温度以下になった場合に前記貯蔵室内に供給される冷気量を調整するダンパを閉塞させるダンパ閉塞ステップと、を備え、前記ダンパを閉じることにより前記冷却器が設置されている冷却器室内、あるいは前記冷却器と前記ダンパとの間の送風路内に設けられた脱臭装置に前記庫内ファンにより冷気を供給して前記冷気の脱臭を行なうようにしたものである。
【００２３】
また、本発明の請求項１７に係る冷蔵庫の運転方法は、前記ダンパが閉塞されてから所定時間経過後に前記庫内ファンを停止させる庫内ファン停止ステップと、を備えたものである。
【００２４】
【発明の実施の形態】
実施の形態１．
以下に、本発明の実施の形態について説明する。図１は本発明の実施の形態１を表す冷蔵庫の斜視図、図２、図３は本発明の実施の形態１を表す冷蔵庫の側断面図である。ここで、図１、図２は上から冷蔵室、切替室（並列に２つ配置されている。）、野菜室、冷凍室の順に配置された５ドアの冷蔵庫の斜視図および側断面図を表し、図３は上から冷蔵室、野菜室、冷凍室の順に配置された３ドアの冷蔵庫の側断面図を表している。
【００２５】
図１、図２、図３において、１は冷蔵庫本体、２は断熱材で充填された断熱箱体である。７は冷蔵庫本体１の上部に設けられた冷蔵室、８は冷蔵室７の下に設けられ、野菜から冷凍食品までの広範囲の温度帯に切替可能な切替室で左右に２つ設けられ、貯氷室などに利用される（図３には切替室は設けられていない。）。また、９は切替室８の下に設けられ、野菜などを保存する野菜室（図３では野菜室９は冷蔵室７の下に設けられている。）。また、１０は野菜室９の下に設けられ、冷凍食品などを保存する冷凍室である。
【００２６】
３は冷蔵室７の前面に設けられた開閉式の冷蔵室用扉、４は切替室８の前面に設けられた引出式の切替室用扉であり、４ａ、４ｂは左右に２つ設けられた切替室８にそれぞれ設けられた切替室用扉である。５は野菜室９の前面に設けられた引出式の野菜室用扉、６は冷凍室１０の前面に設けられた引出式の冷凍室用扉である。また、１１は、冷蔵庫本体１の後方下側に設けられた機械室１１ａに設置された圧縮機、１３は冷蔵庫本体１の後方に設けられた冷却器室１３ａに配置された冷却器、１２は冷却器１３に着霜した霜を溶かすための除霜用ヒータである。
【００２７】
１４は冷却器室１３ａに設けられ、冷却器１３によって冷却された冷気を強制的に冷蔵庫本体１内の冷蔵室７や冷凍室１０などの各貯蔵室に送風するための庫内ファンである。１９Ａは冷蔵室７への冷気の送風路である冷蔵室用送風路、２０Ａは冷凍室１０への冷気の送風路である冷凍室用送風路である。１５Ａは冷蔵室用送風路１９Ａ内に設けられ、冷蔵室７へ供給される冷気の量を調整する冷蔵室用ダンパ、１５Ｂは切替室用送風路内に設けられ、切替室８へ供給される冷気の量を調整する切替室用ダンパ、１５Ｃは冷凍室用風路２０Ａ内に設けられ、冷凍室１０へ供給される冷気の量を調整する冷凍室用ダンパである。
【００２８】
１６は冷蔵室用送風路１９Ａより冷蔵室７内に冷気を供給するための冷蔵室用吹き出し口、１７は切替室用送風路より切替室８内に冷気を供給するための切替室用吹出し口、１８は冷凍室用送風路２０Ａより冷凍室１０内に冷気を供給するための冷凍室用吹出し口である。２１は冷蔵庫本体１内の各貯蔵室へ導かれる冷気の通り道である送風路内に設けられたバイパス流路であり、バイパス流路２１内には脱臭装置２２が設けられている。
【００２９】
このバイパス流路２１は各貯蔵室（冷蔵室７や冷凍室１０など）に供給される冷気量を調整するダンパ（冷蔵室用ダンパ１５Ａや冷凍室用ダンパ１５Ｃなど）と冷却器１３との間に設けた方がよく、各貯蔵室へ導かれる冷気の通り道である各送風路に分岐する前の冷却器室内に設けた方がよい。ここで、各ダンパ（１５ａ、１５ｂ、１５ｃ）を閉じることによって冷気は各貯蔵室へ供給されなくなるので、冷気は冷却器１３よりバイパス流路２１を通って冷却器１３に戻るようになりショートサイクルが発生する。
【００３０】
このショートサイクルは冷却器１３を上流として循環する冷気が冷蔵庫本体１内のいずれの貯蔵室へも供給されずに冷却器１３に戻る風路のことであり、このショートサイクルを発生させることにより冷気がバイパス流路２１内に設けられた脱臭装置２２を通過するようになり、冷却器室１３ａ内および冷却器１３と各ダンパ（１５ａ、１５ｂ、１５ｃ）との間の送風路内の冷気の脱臭を行わせることができる。ここで、全てのダンパを閉じた方が全ての貯蔵室へのダンパまでの送風路内および冷却器室内の脱臭が行えるため脱臭効果が大きいが、全てのダンパを閉じなくても冷気の脱臭は行なえる。
【００３１】
また、３１ａは冷却器１３の入口温度を検出する冷却器入口温度検出手段、３１ｂは冷却器１３の出口温度を検出する冷却器出口温度検出手段、３２は冷凍室１０内の温度を検出する冷凍室温度検出手段、３３は冷蔵室７内の温度を検出する冷蔵室温度検出手段、３４は冷蔵庫本体１外の外気温度検出する外気温度検出手段である。
【００３２】
５０は制御手段であり、機械室１１ａ内に設置された圧縮機１１のＯＮ／ＯＦＦや冷却器室１３ａ内に設置された庫内ファン１４のＯＮ／ＯＦＦを制御して貯蔵室（庫内）の温度制御を行ったり、減圧装置（図示せず）の流路面積変更や毛細管の切り替えなどを行って流量を制御したりする。ここで、圧縮機１１、凝縮器（図示せず）、減圧装置（図示せず）、冷却器１３は順に接続されて冷凍サイクルを構成しており、冷媒としてオゾン層を破壊しにくいＨＦＣ系冷媒（たとえばＨＦＣ１３４ａなど）や地球温暖化係数の小さい自然冷媒（たとえば炭化水素（ＨＣ冷媒）など）を用いるようにしており、地球環境にやさしい冷蔵庫を提供するようにしている。
【００３３】
冷蔵庫本体１外の温度を検出する外気温度検出手段３４や貯蔵室内の温度を検出する庫内温度検出手段（冷蔵室温度検出手段３３や冷凍室温度検出手段３２など）により検出された外気温度や貯蔵室内（庫内）温度に基づいて、制御手段５０は、その時点で最も適した冷媒流量が冷却器１３に供給されるように減圧装置（図示せず）の冷媒流路を調整する。ここで、減圧装置は、流路面積可変式の切替弁と複数の毛細管によって構成され、必要な流量が得られるように切替弁の流路面積の変更や毛細管の切替を行うことにより木目細かな流量制御が行われる。
【００３４】
次に、本発明の冷蔵庫の制御手段５０による貯蔵室内の温度制御について説明する。図４は本発明の実施の形態１を表す冷蔵庫の冷凍室温度の変化および圧縮機、庫内ファンの運転状態を示すタイムチャート図である。また、図５は制御動作を表すフローチャート図である。図４において、横軸は時間を表し、縦軸は冷凍室温度の温度変化、圧縮機１１および庫内ファン１４のＯＮ／ＯＦＦ状態を表している。図において、冷凍室温度を示す縦軸のＡ、Ｂ、Ｃ、Ｅは冷凍室１０内の温度を表しており、Ａ＞Ｅ＞Ｂ＞Ｃである。
【００３５】
冷凍室１０内に設けられ、冷凍室１０内の温度を検出する冷凍室温度検出手段３２により検出された冷凍室１０内の温度がＡ点（冷却開始温度であり、圧縮機１１をＯＮする温度）まで上昇した場合、圧縮機１１および庫内ファン１４を同時にＯＮする。この時同時に、冷凍室用ダンパ１５ｃを開放する。そして、従来は冷凍室温度検出手段３２より検出された冷凍室１０内の温度が、従来の圧縮機ＯＦＦ温度であり冷却に必要な下限温度であるＢ点に到達した時点で圧縮機１１と庫内ファン１４を同時に停止させていたが、本実施の形態では、冷凍室１０内の温度が冷却に必要な下限温度であるＢ点よりも所定温度Ｋだけ高いＥ点温度まで冷却された場合に、圧縮機１１を停止させるようにしている。ここで、所定温度Ｋは、圧縮機容量、冷却器容量、風路構成、貯蔵室の容量などによって異なるので、実験などにより予め冷却不足とならない温度に設定される。本実施の形態では所定温度Ｋは０．５〜５ｄｅｇ程度に設定している。
【００３６】
そして、冷却器１４内の残留冷媒の熱交換により冷凍室１０内の温度が低下して、冷凍室温度検出手段３２より検出された冷凍室１０内の温度が従来の圧縮機１１のＯＦＦ温度であるＢ点（冷却下限温度）に達した時点で各ダンパ（１５ａ、１５ｂ、１５ｃ）を閉じて庫内ファン１４を停止させる。
【００３７】
したがって、本実施の形態では、庫内温度検出手段（本実施の形態では冷凍室温度検出手段３２）により検出された貯蔵室（本実施の形態では冷凍室１０）内の温度が所定の第１温度（Ａ点温度）以上の場合は圧縮機１１及び庫内ファン１４を起動させ、貯蔵室（本実施の形態では冷凍室１０）内の温度が所定の第１温度（Ａ点温度）よりも低い所定の第２温度（Ｅ点温度）まで低下した場合には圧縮機１１を停止させ、貯蔵室（本実施の形態では冷凍室１０）内の温度が所定の第２温度（Ｅ点温度）よりも低い所定の第３温度（Ｂ点温度）まで低下した場合には庫内ファン１４を停止させるように制御手段５０が制御するので、圧縮機１１の運転時間が従来に比べてＸ１時間だけ短縮でき、少エネルギな冷蔵庫を得ることができる。また、冷却器１３内の残留冷媒の熱容量を有効に活用して冷却できるので、エネルギを有効活用して効率的に冷却できる冷蔵庫を得ることができる。
【００３８】
また、本実施の形態では冷凍室１０内を冷却に必要な下限温度である所定の第３温度（Ｂ点温度）までしか冷却しないので、従来のようにＢ点温度よりも低いＣ点温度まで冷却するような冷却過多がなくなり、冷却器内の残留冷媒の熱容量も有効に活用できる。さらに貯蔵室（本実施の形態では冷凍室１０）内の温度は従来と同等に冷却に必要な下限温度（Ｂ点温度）まで確保できる。
【００３９】
よって、消費電力が少なく、食品の損傷も起こらないので、食品の鮮度保持が長時間可能で信頼性が高く少エネルギな冷蔵庫が得られる。また、従来のようにＢ点温度にて圧縮機１１を停止させ、一定時間後に庫内ファン１４を停止させる場合よりも、庫内ファン１４の運転時間も短縮でき、消費電力の少ない少エネルギな冷蔵庫が得られる。
【００４０】
ここで、圧縮機１１は従来の冷凍室内温度Ｂよりも高い温度Ｅで停止するが、冷凍室１０内の温度は庫内ファン１４の運転により、従来の冷却下限温度Ｂ（従来の圧縮機ＯＦＦ温度）まで冷却できるので、冷凍室１０内の温度は従来と同様に必要なレベルの冷却温度Ｂ点まで冷却でき、食品が損傷することがなく信頼性の高い冷蔵庫を得ることができる。
【００４１】
次に図５を用いて本実施の形態を表す冷蔵庫の制御動作について説明する。図において、ＳＴ１１は冷凍室１０内の温度が所定温度Ａ以上かどうかを判断する冷凍室温度第１判断ステップ、ＳＴ１２は圧縮機１１と庫内ファン１４を運転開始させる圧縮機・庫内ファン運転開始ステップ、ＳＴ１３は冷凍室１０内の温度が所定温度Ｅ以下かどうかを判断する冷凍室温度第２判断ステップ、ＳＴ１４は圧縮機１１の運転を停止させる圧縮機運転停止ステップ、ＳＴ１５は冷凍室１０内の温度が所定温度Ｂ以下かどうかを判断する冷凍室温度第３判断ステップ、ＳＴ１６は庫内ファン１４の運転を停止させる庫内ファン停止ステップである。
【００４２】
ＳＴ１１にて冷凍室温度検出手段３２により検出された冷凍室１０内の温度が所定温度Ａ（冷却開始温度であり、圧縮機をＯＮする温度）以上かどうかを判断し、所定温度Ａ以上の場合には、ＳＴ１２にて圧縮機１１および庫内ファン１４をＯＮする。そして、ＳＴ１３にて、検出された冷凍室１０内の温度が所定温度Ｅ以下かどうかを判断し、冷凍室１０内の温度が所定温度Ｅ以下の場合には、ＳＴ１４にて圧縮機１１をＯＦＦする。もしもＳＴ１３にて冷凍室１０内の温度が所定温度Ｅ以下でない場合には圧縮機１１をＯＦＦせず運転を継続し、ＳＴ１３に戻って再度冷凍室１０内の温度が所定温度Ｅ以下かどうか判定を行う。
【００４３】
ここで、ＳＴ１４にて圧縮機１１をＯＦＦした後は、ＳＴ１５にて冷凍室１０内の温度が所定温度Ｂ以下どうかを判断し、冷凍室１０内の温度が所定温度Ｂ以下の場合にはＳＴ１６にて庫内ファン１４をＯＦＦする。もしもＳＴ１５にて冷凍室１０内の温度が所定温度Ｂ以下でない場合は庫内ファン１４をＯＦＦせず運転を継続し、ＳＴ１５に戻って再度冷凍室１０内の温度が所定温度Ｂ以下かどうか判定する。ＳＴ１６にて庫内ファン１４を停止すると冷凍室１０内の温度が上昇してくるので、ＳＴ１１に戻って、再度冷凍室１０の温度が所定温度Ａ以上かどうかを判断するようにして、運転を継続する。
【００４４】
以上より、本実施の形態では、圧縮機１１および庫内ファン１４を所定の第１温度（Ａ点温度）で起動する圧縮機・庫内ファン起動ステップと、貯蔵室内（本実施の形態では冷凍室１０内）の温度が所定の第１温度（Ａ点温度）よりも低い所定の第２温度（Ｅ点温度）に到達した場合に圧縮機１１を停止させる圧縮機停止ステップと、貯蔵室内（本実施の形態では冷凍室１０内）の温度が所定の第２温度（Ｅ点温度）よりもＫｄｅｇだけ低い所定の第３温度（Ｂ点温度）に到達した場合に庫内ファン１４を停止させる庫内ファン停止ステップと、を備えている。
【００４５】
したがって、本実施の形態では圧縮機１１のみを所定の第３温度（Ｂ点温度）よりもＫｄｅｇだけ高い所定の第２温度（Ｅ点温度）で停止させる圧縮機停止ステップを備えるようにしたので、従来のように所定の第３温度（Ｂ点温度）で圧縮機１１と庫内ファン１４を停止させる場合に比べて簡単な制御にて圧縮機１１の運転時間をＸ１時間だけ短縮でき、消費電力の少ない冷蔵庫の運転方法を得ることができる。また、所定の第２温度（Ｅ点温度）から所定の第３温度（Ｂ点温度）までは庫内ファン１４を運転させるだけの簡単な制御にて冷却器１３内の残留冷媒の熱容量を利用して貯蔵室内を冷却するようにしているので、冷却器１３内の残留冷媒の熱容量も有効に活用でき、効率的にエネルギを有効活用する冷蔵庫の運転方法を得ることができる。
【００４６】
本発明の制御を実際に冷蔵庫に適用した場合、従来に比べて約３％〜５％程度の消費電力低減が実現できており、しかも、冷蔵庫内の温度は従来と変ることはないので、冷蔵庫の冷却性能（食品の鮮度や保存状態）も問題ない。また、冷蔵庫の運転状態によって生じる悪影響（冷凍室内負荷の変動による冷凍室内の温度変化）にもきちんと対応できるので、ユーザーが安心して使用できる。また、制御手段５０はマイコンにて簡単に対応できるため、コンパクトで低コストな冷蔵庫および冷蔵庫の運転方法を得ることができる。
【００４７】
実施の形態２．
実施の形態１では、庫内ファン１４を冷凍室１０内の温度が所定温度に到達した場合に停止させるようにしたが、本実施の形態では、実施の１に加えて庫内ファン１４の停止制御に時間制限を設けるようにしている。以下に本実施の形態の冷蔵庫の冷凍室１０内の温度制御について説明する。本実施の形態では、実施の形態１と同等部分は同一の符号を付して説明は省略する。
【００４８】
図６は本発明の実施の形態２を表す冷蔵庫の冷凍室温度の変化、圧縮機および庫内ファンの運転状態を示すタイムチャート図である。また、図７は本実施の形態を表す冷蔵庫の制御動作を表すフローチャート図である。図７において、横軸は時間を表し、縦軸は冷凍室温度の温度変化、圧縮機１１および庫内ファン１４のＯＮ／ＯＦＦ、庫内ファンの停止時期を把握するためのタイマによる運転時間測定のＯＮ／ＯＦＦをそれぞれ表している。図において、冷凍室温度を示す縦軸のＡ、Ｂ、Ｃ、Ｅ、Ｆは冷凍室１０内の温度であり、Ａ＞Ｅ＞Ｆ＞Ｂ＞Ｃである。
【００４９】
冷凍室１０内に設けられ、冷凍室１０内の温度を検出する冷凍室温度検出手段３２により検出された冷凍室１０内の温度がＡ点（冷却開始温度であり、圧縮機をＯＮする温度）まで上昇した場合、圧縮機１１および庫内ファン１４を同時にＯＮする。そして、冷凍室温度検出手段３２よりの検出温度が、従来の圧縮機ＯＦＦ温度であるＢ点よりも所定温度Ｋだけ高い温度Ｅ点以下に冷却された場合、圧縮機１１を停止させる。ここで、所定温度Ｋは実施の形態１で説明したように実験などにより予め冷却不足とならない温度に設定され、０．５〜５ｄｅｇ程度に設定される。
【００５０】
その後、冷却器１４内の残留冷媒の熱交換のため冷凍室１０内の温度は低下するので、本実施の形態では冷凍室温度検出手段３２の温度が従来の圧縮機のＯＦＦ温度であるＢ点に達した場合、あるいは圧縮機１１が停止してから所定時間Ｙが経過した場合のどちらかの場合に、庫内ファン１４を停止させるようにしている。すなわち、図６において、Ｚ１で表されたポイントが圧縮機１１の停止後から測定された所定時間である時間Ｔが経過するポイントであり、本実施の形態では、所定時間Ｔが経過した時点で冷凍室１０内の温度が庫内ファン１４の停止温度であるＢ点に達していない場合でも強制的に庫内ファン１４を停止するようにしている。ここで、所定時間Ｔはマイコンなどに内蔵されたタイマなどにより圧縮機１１の停止後に測定が開始され、Ｔ時間経過後に測定が終了される。そして、制御手段５０は所定時間Ｔが経過した時点で庫内ファン１４を停止させるように制御する。
【００５１】
ただし、Ｚ２で表されるポイントのように、圧縮機停止後所定時間Ｔが経過する前に冷凍室１０内の温度が庫内ファン１４の停止温度であるＢ点に達した場合は、所定時間Ｔが経過する前に庫内ファン１４はが停止するように制御手段５０により制御される。
【００５２】
したがって、庫内温度検出手段（本実施の形態では冷凍室温度検出手段３２）により検出された貯蔵室（本実施の形態では冷凍室１０）内の温度が所定の第１温度（Ａ点温度）以上の場合は圧縮機１１及び庫内ファン１４を起動させ、貯蔵室（本実施の形態では冷凍室１０）内の温度が所定の第１温度（Ａ点温度）よりも低い所定の第２温度（Ｅ点温度）まで低下した場合には圧縮機１１を停止させ、圧縮機１１の停止後から所定時間Ｔが経過しても貯蔵室（本実施の形態では冷凍室１０）内の温度が所定の第２温度（Ｅ点温度）よりも低い所定の第３温度（Ｂ点温度）まで低下しない場合には所定時間Ｔが経過した後に庫内ファン１４を停止させるように制御手段５０が制御するので、庫内ファン１４を運転させることによる冷却器１３の温度上昇の影響を受けて冷凍室１０内が急激に温度上昇するのを抑制でき、冷却不足の状態が発生するのを抑制でき、食品の損傷を防止できる。
【００５３】
また、実施の形態１でも説明したように、圧縮機１１および庫内ファン１４の運転時間が従来に比べて短縮でき、さらに貯蔵室（本実施の形態では冷凍室１０）内の温度は従来と同等に冷却に必要な温度が確保できる。したがって、消費電力が少なく、食品の損傷も起こらないので、食品の鮮度保持が長時間可能で信頼性が高く少エネルギな冷蔵庫が得られる。
【００５４】
次に図７を用いて本実施の形態を表す冷蔵庫の制御動作について説明する。図において、ＳＴ３１は冷凍室温度が所定温度Ａ以上かどうかを判断する冷凍室温度第１判断ステップ、ＳＴ３２は圧縮機１１と庫内ファン１４を運転開始する圧縮機・庫内ファン運転開始ステップ、ＳＴ３３は冷凍室温度が所定温度Ｅ以下かどうかを判断する冷凍室温度第２判断ステップ、ＳＴ３４は圧縮機の運転を停止させる圧縮機運転停止ステップ、ＳＴ３５は冷凍室温度が所定温度Ｂ以下かどうかを判断する冷凍室温度第３判断ステップ、ＳＴ３６は庫内ファン１４の運転を停止させる庫内ファン停止ステップ、ＳＴ３７は圧縮機１１の停止後所定時間経過したかどうかを判断する所定時間判断ステップである。
【００５５】
ＳＴ３１にて冷凍室温度検出手段３２により検出された冷凍室１０内の温度が所定温度Ａ（冷却開始温度であり、圧縮機ＯＮ温度）以上かどうかを判断し、もしも所定温度Ａ以上の場合には、ＳＴ３２にて圧縮機１１および庫内ファン１４をＯＮする。そして、ＳＴ３３にて、検出された冷凍室１０内の温度が所定温度Ｅ以下かどうかを判断し、もし、冷凍室１０内の温度が所定温度Ｅ以下の場合には、ＳＴ３４にて圧縮機１１をＯＦＦする。もしもＳＴ３３にて冷凍室１０内の温度が所定温度Ｅ以下でない場合はＳＴ３３に戻って圧縮機１１をＯＦＦせず運転を継続する。
【００５６】
ここで、ＳＴ３４にて圧縮機１１をＯＦＦした後は、ＳＴ３５にて冷凍室１０内の温度が所定温度Ｂ以下どうかを判断し、冷凍室１０内の温度が所定温度Ｂ以下の場合にはＳＴ３６にて庫内ファン１４をＯＦＦする。もしも、ＳＴ３５にて冷凍室１０内の温度が所定温度Ｂ以下でない場合は、ＳＴ３７にて圧縮機１１が停止してからタイマなどにより測定された所定時間Ｔが経過したかどうかを判断し、所定時間Ｔを経過していた場合には、ＳＴ３６にて庫内ファン１４を停止させる。ここで、ＳＴ３７にて所定時間Ｔを経過していない場合には、ＳＴ３５に戻り、庫内ファン１４をＯＦＦせず再度冷凍室１０内の温度が所定温度Ｂ以下かどうか判断しながら運転を継続する。
【００５７】
ＳＴ３６にて庫内ファン１４が停止すると冷凍室１０内の温度が上昇してくるので、再度ＳＴ３１に戻って、冷凍室１０内の温度が所定温度Ａ以上かどうかを判断し、運転を継続する。
【００５８】
ここで、例えば冷凍室１０内の温度が圧縮機ＯＦＦ温度であるＥ点に達して圧縮機１１が停止したあとに、冷凍室１０内に温度の高い食品が入れられたり、冷蔵庫の扉（冷凍室用扉６）が少しだけ開いていたりして冷凍室１０の負荷が上昇した場合には、冷却器１３内の残留冷媒の熱容量では、これ以上の冷却は不可であり、このまま庫内ファン１４の運転のみを継続しても、庫内ファン１４のＯＦＦ温度（従来の圧縮機ＯＦＦ温度であり冷却必要下限温度）であるＢ点まで達しない場合が考えられる。この場合は、このまま庫内ファン１４を運転しつづけても、冷却器１３の温度が上昇するため、冷凍室１０内温度も上昇していき、冷却不足の状態が発生する。しかし圧縮機１１は停止したままの状態が維持されるので、冷却不足の状態が改善されることはない。
【００５９】
しかしながら、本実施の形態では、圧縮機１１の停止後から所定時間Ｔが経過しても貯蔵室（本実施の形態では冷凍室１０）内の温度が所定の第２温度（Ｅ点温度）よりも低い所定の第３温度（Ｂ点温度）まで低下しない場合には所定時間Ｔが経過した後に庫内ファン１４を停止させる庫内ファン停止ステップを備えたので、所定時間Ｔが経過しても冷凍室１０内の温度が所定の第３温度（Ｂ点温度）まで低下しない場合に庫内ファン１４を停止させるだけの簡単な制御を行なうだけで庫内ファン１４の運転による冷却器１３の温度上昇の影響を受けて冷凍室１０内が温度上昇して冷却不足の状態が発生するのを抑制できる。
【００６０】
また、所定時間Ｔが経過して庫内ファン１４を停止させた後は、ＳＴ３１に戻るように制御しているので、冷却不足の状態が発生しても冷凍室１０内の温度が所定の第１温度（Ａ点温度）以上に上昇すれば、圧縮機１１が起動されて冷却が開始されるため、冷却不足の状態が発生せず、食品の損傷を防止できる。
【００６１】
また、実施の形態１でも説明したように圧縮機１１は従来の冷凍室１０内の温度Ｂよりも高い温度Ｅで停止させるので、圧縮機の運転時間が短縮できる。また、冷凍室１０内の負荷が小さい場合で冷凍室１０内の負荷が急激に増加したりしない場合は、冷凍室１０内の温度は、圧縮機１１の停止後、従来の冷却終了温度Ｂ（圧縮機ＯＦＦ温度）まで庫内ファン１４の運転により冷却されるため、冷凍室１０内の温度は従来と同様に必要なレベルの温度Ｂまで冷却でき、鮮度も維持できる。したがって、消費電力が少なく、食品の損傷も起こらないので、食品の鮮度保持が長時間可能で信頼性の高い冷蔵庫が得られる。また、冷却器１４内の残留冷媒の熱容量も有効に活用でき、少エネルギで効率的に冷却できる冷蔵庫および冷蔵庫の運転方法を得ることができる。
【００６２】
実施の形態３．
実施の形態１、実施の形態２においては冷凍室１０内の温度を検出して圧縮機１１と庫内ファン１４の運転制御を行う例を説明したが、本実施の形態では、冷却器１３の温度も検出して冷凍室内温度を制御する例について説明する。本実施の形態では、実施の形態１および実施の形態２と同等部分は同一の符号を付して説明は省略する。
【００６３】
図８は本発明の実施の形態３を表す冷蔵庫の冷凍室温度変化、冷却器温度の変化、圧縮機および庫内ファンの運転状態を示すタイムチャート図である。また、図９は本実施の形態を表す冷蔵庫の制御動作を表すフローチャート図である。図８において、横軸は時間を表し、縦軸は冷凍室温度の温度変化、冷却器温度の変化、圧縮機および庫内ファンの運転状態（ＯＮ／ＯＦＦ）、庫内ファンの停止時期を把握するためのタイマによる運転時間測定のＯＮ／ＯＦＦをそれぞれ表している。図において、冷凍室温度を示す縦軸のＡ、Ｂ、Ｃ、Ｅ、Ｆは冷凍室１０内の温度を表しており、Ａ＞Ｅ＞Ｆ＞Ｂ＞Ｃである。また、冷却器温度を示す縦軸のＨ、Ｊ、Ｋは冷却器１３の出口温度あるいは入口温度のいずれかを表しており、Ｈ＞Ｊ＞Ｋである。
【００６４】
冷凍室１０内に設けられ、冷凍室１０内の温度を検出する冷凍室温度検出手段３２により検出された冷凍室１０内の温度がＡ点（冷却開始温度、圧縮機ＯＮ温度）まで上昇した場合、圧縮機１１および庫内ファン１４を同時にＯＮする。そして、冷凍室温度検出手段３２よりの検出温度が、従来の圧縮機ＯＦＦ温度であり、冷却必要温度であるＢ点よりも所定温度Ｋだけ高い温度Ｅ点まで冷却された場合、圧縮機１１を停止させる。ここで、所定温度Ｋは実施の形態１で説明したように実験などにより予め冷却不足とならない温度に設定され、０．５〜５ｄｅｇ程度に設定される。
【００６５】
その後、冷却器１４内の残留冷媒の熱交換により冷凍室１０内の温度は低下するので、本実施の形態では、冷凍室温度検出手段３２の温度が従来の圧縮機のＯＦＦ温度であるＢ点に達した場合、あるいは圧縮機１１が停止してから所定時間Ｔが経過した場合、あるいは冷却器１３の温度が所定温度Ｊまで上昇した場合のいずれかの場合に、庫内ファン１４を停止させるようにしている。
【００６６】
すなわち、図８において、圧縮機１１および庫内ファン１４のＯＮにより冷凍室１０内の温度が低下していき、冷凍室１０内の温度がＥ点に達した時点（Ｚ３のポイント）で圧縮機１１がＯＦＦされる。ここで、圧縮機１１がＯＦＦされた後に例えば冷蔵庫内に温度の高い食品を入れられたり、冷蔵庫の扉が少しだけ開いていたりして冷凍室１０内の負荷が急に増加した場合は、冷却器１３内の残留冷媒の熱交換だけでは冷凍室内の温度をＢ点まで低下させることができず、Ｆ点温度まで低下した時点（Ｚ４のポイント）より冷凍室１０内の温度が上昇し始める。
【００６７】
この場合、冷凍室１０内の温度が庫内ファン１４の停止温度であるＢ点までは低下していないが、圧縮機１１の停止後から所定時間Ｔが経過している場合には、実施の形態２で説明したのと同様に制御手段５０は庫内ファン１４を停止させて冷凍室内の急激な温度上昇を抑制する。しかし、冷凍室１０内の温度が庫内ファン１４の停止温度であるＢ点まで低下せず、かつ圧縮機１１の停止後から所定時間Ｔも経過していない場合には、実施の形態１や実施の形態２で説明したような制御のみでは、庫内ファン１４は運転しつづけるため、冷却器１３の温度上昇に伴って冷凍室１０内の温度も急激に上昇する。
【００６８】
しかし、本実施の形態では、圧縮機１１が停止（Ｚ３のポイント）して庫内ファン１４のみによる冷却運転が開始されてから所定時間Ｔが経過していない場合でも、冷却器入口温度検出手段３１ａあるいは冷却器出口温度検出手段３１ｂなどにより検出された冷却器１３の温度が冷却器１３の冷却可能な限界温度である所定温度Ｊ点まで上昇した場合（Ｚ５のポイント）には制御手段５０が庫内ファン１４を停止させるように制御している。
【００６９】
したがって、冷却器１３の温度を検出する冷却器温度検出手段（冷却器入口温度検出手段３１ａあるいは冷却器出口温度検出手段３１ｂなど）を設け、圧縮機１１が停止してから所定時間Ｔ内に冷却器温度検出手段により検出された冷却器１３の温度が所定温度Ｊ以上になった場合は、庫内ファン１４を停止させるように制御手段５０が制御するので、冷却器１３の温度上昇に伴って必要な温度まで冷却できなくなった冷気を庫内ファン１４にて冷凍室１０内に供給することによる冷凍室１０内の温度の急激な上昇を抑制でき、食品などの損傷を抑制でき、信頼性の高い冷蔵庫を提供できる。
【００７０】
ここで、冷凍室１０内の温度が庫内ファン１４の停止温度であるＢ点まで到達した場合（Ｚ７のポイント）や圧縮機１１の停止後から所定時間Ｔが経過した場合には、実施の形態１や実施の形態２で説明したように冷却器１３の温度に関係なく制御手段５０は庫内ファン１４を停止させるので、実施の形態１や実施の形態２と同等の効果を得ることができる。
【００７１】
次に図９を用いて本実施の形態を表す冷蔵庫の制御動作について説明する。図において、ＳＴ４１は冷凍室温度が所定温度Ａ以上かどうかを判断する冷凍室温度第１判断ステップ、ＳＴ４２は圧縮機１１と庫内ファン１４を運転開始する圧縮機・庫内ファン運転開始ステップ、ＳＴ４３は冷凍室温度が所定温度Ｅ以下かどうかを判断する冷凍室温度第２判断ステップ、ＳＴ４４は圧縮機の運転を停止させる圧縮機運転停止ステップ、ＳＴ４５は冷凍室温度が所定温度Ｂ以下かどうかを判断する冷凍室温度第３判断ステップ、ＳＴ４６は庫内ファン１４の運転を停止させる庫内ファン停止ステップ、ＳＴ４７は圧縮機１１の停止後所定時間経過したかどうかを判断する所定時間判断ステップ、ＳＴ４８は冷却器１３の温度が所定温度Ｊ以上かどうかを判断する冷却器温度判断ステップである。
【００７２】
ＳＴ４１にて冷凍室温度検出手段３２により検出された冷凍室１０内の温度が所定温度Ａ（冷却開始温度であり、圧縮機ＯＮ温度）以上かどうかを判断し、もしも所定温度Ａ以上の場合には、ＳＴ４２にて圧縮機１１および庫内ファン１４をＯＮする。そして、ＳＴ４３にて、検出された冷凍室１０内の温度が所定温度Ｅ以下かどうかを判断し、冷凍室１０内の温度が所定温度Ｅ以下の場合には、ＳＴ４４にて圧縮機１１をＯＦＦする。もしもＳＴ４３にて冷凍室１０内の温度が所定温度Ｅ以下でない場合はＳＴ４３に戻って圧縮機１１をＯＦＦせず運転を継続する。
【００７３】
ここで、ＳＴ４４にて圧縮機１１をＯＦＦした後はＳＴ４５にて冷凍室１０内の温度が所定温度Ｂ以下どうかを判断し、冷凍室１０内の温度が所定温度Ｂ以下の場合にはＳＴ４６にて庫内ファン１４をＯＦＦする。ＳＴ４５にて冷凍室１０内の温度が所定温度Ｂ以下でない場合は、ＳＴ４７にて圧縮機１１が停止してから所定時間Ｔが経過したかどうかを判断し、所定時間Ｔを経過していた場合には、ＳＴ４６にて庫内ファン１４を停止させる。ここで、ＳＴ４７にて所定時間Ｔを経過していない場合には、ＳＴ４８にて冷却器１３の温度が所定温度Ｊ以上かどうかを判断し、所定温度Ｊ以上の場合にはＳＴ４６にて庫内ファン１４を停止させる。もしも、ＳＴ４８にて冷却器１３の温度が所定温度Ｊ以上でない場合には庫内ファン１４をＯＦＦせずにＳＴ４５に戻り、再度冷凍室１０内の温度が所定温度Ｂ以下かどうか判断しながら運転を継続する。
【００７４】
ＳＴ４６にて庫内ファン１４が停止すると冷凍室１０内の温度が上昇してくるので、再度ＳＴ４１に戻って、冷凍室１０内の温度が所定温度Ａ以上かどうかを判断するようにして、運転を継続する。ここで、冷却器１３の温度は冷却器入口温度検出手段３１ａや冷却器出口温度検出手段３１ｂなどによって検出される。
【００７５】
ここで、例えば実施の形態２でも説明したように冷凍室内温度がＥ点に達して圧縮機１１をＯＦＦしたあとに冷凍室１０内に温度の高い食品を入れられたり、冷凍室用扉６が少しだけ開いていたりした場合には、冷凍室１０内の負荷が急上昇するため、庫内ファン１４の運転のみをこのまま継続しても、冷却器１３の温度が冷却可能温度Ｊ以上に上昇してしまい、冷凍室１０内の温度が庫内ファン１４のＯＦＦ温度（従来の圧縮機ＯＦＦ温度であり冷却必要下限温度）であるＢ点まで達しない場合が考えられる。
【００７６】
この場合は、冷却器１３内の残留冷媒の熱容量では、これ以上の冷却は不可であり、このまま庫内ファン１４を運転しつづけても、冷却器１３の温度上昇に伴って冷凍室１０内温度も上昇していき、冷却不足の状態が発生する。しかし、圧縮機１１が停止しているので、冷却不足の状態が改善されることはない。
【００７７】
しかしながら、本実施の形態では、冷凍室１０内の温度が所定の第２温度（Ｅ点温度）に到達してから冷却器１３の温度を検出する冷却器温度検出手段（冷却器入口温度検出手段３１ａや冷却器出口温度検出手段３１ｂなど）により検出された冷却器１３の温度が所定温度Ｊ以上になった場合に庫内ファン１４を停止させる庫内ファン停止ステップと、を備えているので、冷却器１３の温度に応じて必要なときだけ圧縮機１１を起動させるだけの簡単な制御にて、圧縮機１１の運転時間を短くでき、消費電力も低減できる。また、必要な時だけ圧縮機１１が起動するので、冷却不足が発生せず食品の損傷を抑制できる。
【００７８】
そして、ＳＴ４６にて冷凍室内１０内の温度が所定の第３温度（Ｂ点温度）に到達したら圧縮機１１と庫内ファン１４を停止させるが、再度ＳＴ４１に戻るように制御しているので、冷凍室１０内の温度が所定の第１温度（Ａ点温度）以上に上昇した場合には、ＳＴ４２にて圧縮機１１が起動されて冷却が開始されるため、簡単な制御でありながら冷却不足の状態が発生せず、食品の損傷を防止できるため、少エネルギで信頼性の高い冷蔵庫および冷蔵庫の運転方法を得ることができる。
【００７９】
また、実施の形態１でも説明したように圧縮機１１は従来の冷凍室内温度Ｂよりも高い温度Ｅで停止するが、冷凍室１０内の温度は庫内ファン１４の運転により、従来の冷却終了温度Ｂ（圧縮機ＯＦＦ温度であり冷却必要下限温度）まで冷却できるので、冷凍室１０の温度は従来と同様に必要なレベルの温度Ｂ点まで冷却でき、鮮度も維持できる。また、冷却器１３内の残留冷媒の熱容量も有効に活用でき、少エネルギで効率的に冷却できる冷蔵庫を得ることができる。
【００８０】
実施の形態４．
実施の形態１〜実施の形態３では、圧縮機１１の停止後に庫内ファン１４を運転しても、庫内ファンのＯＦＦ点に達しない場合に、冷却器１３の温度上昇によりかえって冷凍室１０内の温度が上昇するような不具合を防止するために、庫内ファン１４の運転を終了させる例を示したが、本実施の形態では、冷凍室内の温度上昇に対し圧縮機１１を再起動させて積極的に冷却を行うように制御するものである。
【００８１】
本実施の形態では、実施の形態１〜実施の形態３と同等部分は同一の符号を付して説明は省略する。図１０は本発明の実施の形態５を表す冷蔵庫の冷凍室温度の変化、圧縮機および庫内ファンの運転状態を示すタイムチャート図である。また、図１１は制御動作を表すフローチャート図である。図１０において、横軸は時間を表し、縦軸は冷凍室温度の温度変化、圧縮機１１および庫内ファン１４のＯＮ／ＯＦＦ、圧縮機１１の再起動時期を把握するためのタイマによる運転時間測定のＯＮ／ＯＦＦをそれぞれ表している。図において、冷凍室温度を示す縦軸のＡ、Ｂ、Ｃ、Ｅ、Ｆは冷凍室１０内の温度を表しており、Ａ＞Ｅ＞Ｆ＞Ｂ＞Ｃである。
【００８２】
冷凍室１０内に設けられ、冷凍室１０内の温度を検出する冷凍室温度検出手段３２により検出された冷凍室１０内の温度がＡ点（冷却開始温度であり、圧縮機をＯＮする温度）まで上昇した場合、圧縮機１１および庫内ファン１４を同時にＯＮする（Ｚ１１ポイント）。そして、冷凍室温度検出手段３２よりの検出温度が、従来の圧縮機ＯＦＦ温度であるＢ点よりも所定温度Ｋだけ高い温度Ｅ点まで冷却された場合に、圧縮機１１を停止させる（Ｚ１２ポイント）。
【００８３】
その後、冷却器１３内の残留冷媒の熱交換により冷凍室１０内の温度は低下すので、本実施の形態では冷凍室温度検出手段３２の温度が従来の圧縮機のＯＦＦ温度であるＢ点に達した場合に、庫内ファン１４を停止させるようにしている。しかし、実施の形態２で説明したように冷凍室内の温度がＢ点温度まで低下しない場合が考えられるので、本実施の形態では、圧縮機１１が停止してから所定時間Ｙが経過しても、冷凍室１０内の温度がＢ点に達しない場合（Ｚ１３ポイント）には庫内ファン１４は停止させずに圧縮機１１をＯＮして再起動させて冷却するようにしている。
【００８４】
そして、冷凍室１０内の温度がＢ点に達したところで圧縮機１１および庫内ファン１４を停止させる（Ｚ１４ポイント）ようにしている。もちろん、冷凍室１０内の温度が所定時間Ｙ内に庫内ファン１４の停止温度であるＢ点まで低下した場合（Ｚ１５ポイント）には、庫内ファン１４は停止される。
【００８５】
ここで、冷凍室１０内の温度が圧縮機１１のＯＦＦ温度であるＥ点に達して圧縮機１１は停止した後に冷凍室１０内に温度の高い食品が入れられたり、冷凍室用扉６が少しだけ開いていたりして冷蔵庫の負荷が上昇した場合は、庫内ファン１４の運転をこのまま継続しても、冷却器１３内の残留冷媒の熱交換だけでは冷却器１３の温度が上昇してしまい庫内ファン１４のＯＦＦ温度であるＢ点に達しない場合が考えられる。
【００８６】
このような場合、実施の形態２や実施の形態３では庫内ファン１４を停止させて冷凍室１０内の温度が急上昇するのを抑制するようにしたが、本実施の形態では、制御手段５０が冷蔵庫の負荷量が過大であると判断して、圧縮機１１が停止してから所定時間Ｙ経過後に圧縮機１１を再起動し、圧縮機１１と庫内ファン１４による冷却運転を再開して、冷凍室１０の温度が庫内ファン１４のＯＦＦ温度であるＢ点に達するまで運転を継続するように制御する。
【００８７】
すなわち、本実施の形態では、庫内温度検出手段である冷凍室温度検出手段３２により検出された冷凍室１０内の温度が所定の第１温度（Ａ点温度）以上の場合は圧縮機１１及び庫内ファン１４を起動させ、冷凍室１０内の温度が所定の第１温度（Ａ点温度）よりも低い所定の第２温度（Ｅ点温度）まで低下した場合には圧縮機１１を停止させ、圧縮機１１が停止してから所定時間Ｙ経過後に圧縮機１１を再起動させるように制御手段５０が制御する。
【００８８】
したがって、圧縮機１１が停止してから所定時間Ｙ経過後に圧縮機１１を再起動させて冷却するようにしているので、貯蔵室（本実施の形態では冷凍室１０）内温度が上昇しても、所定時間Ｙ後に圧縮機１１が起動して冷却されるため、冷却不足の状態が発生せず、食品の損傷を防止できる。また、必要なときだけ圧縮機を起動するようにしたので、圧縮機の運転時間を短くでき、消費電力も低減できる。
【００８９】
また、ユーザーの使用状況や、周囲環境の変化による冷蔵庫の負荷量の変動にも柔軟に対応でき、冷却不足が発生せず食品の損傷が発生しない信頼性の高い冷蔵庫を得ることができる。また、負荷量が少ない場合には、実施の形態１で示したように圧縮機１１を再度運転しなくても冷凍室１０内の温度が所定の第３温度（Ｂ点温度）まで低下するので、庫内ファン１４を停止させることができ、圧縮機１１や庫内ファン１４を余分に運転する必要がなく、圧縮機１１の運転時間の短縮による消費電力の低減も実現できる。
【００９０】
次に図１１を用いて本実施の形態を表す冷蔵庫の制御動作について説明する。図において、ＳＴ５１は冷凍室温度が所定温度Ａ以上かどうかを判断する冷凍室温度第１判断ステップ、ＳＴ５２は圧縮機１１と庫内ファン１４を運転開始する圧縮機・庫内ファン運転開始ステップ、ＳＴ５３は冷凍室温度が所定温度Ｅ以下かどうかを判断する冷凍室温度第２判断ステップ、ＳＴ５４は圧縮機の運転を停止させる圧縮機運転停止ステップ、ＳＴ５５は冷凍室温度が所定温度Ｂ以下かどうかを判断する冷凍室温度第３判断ステップである。
【００９１】
ＳＴ５６は冷凍室１０内の温度が所定温度Ｅ以下になってから所定時間経過したかどうかを判断する所定時間判断ステップ、ＳＴ５７は圧縮機１１をＯＮする圧縮機ＯＮステップ、ＳＴ５８は冷凍室１０内の温度が所定温度Ｂ以下かどうかを判断する冷凍室温度第４判断ステップ、ＳＴ５９は圧縮機１１と庫内ファン１４の両方をＯＦＦする圧縮機・庫内ファンＯＦＦステップである。
【００９２】
ＳＴ５１にて冷凍室温度検出手段３２により検出された冷凍室１０内の温度が所定温度Ａ（冷却開始温度であり圧縮機をＯＮする温度）以上かどうかを判断し、もしも所定温度Ａ以上の場合には、ＳＴ５２にて圧縮機１１および庫内ファン１４をＯＮする。そして、ＳＴ５３にて、検出された冷凍室１０内の温度が所定温度Ｅ以下かどうかを判断し、もしも、冷凍室１０内の温度が所定温度Ｅ以下の場合には、ＳＴ５４にて圧縮機１１をＯＦＦする。もしも、ＳＴ５３にて冷凍室１０内の温度が所定温度Ｅ以下でない場合は圧縮機１１をＯＦＦせずにＳＴ５３に戻って運転を継続する。
【００９３】
ここで、ＳＴ５４にて圧縮機１１をＯＦＦした後は、ＳＴ５５にて冷凍室１０内の温度が所定温度Ｂ以下どうかを判断し、冷凍室１０内の温度が所定温度Ｂ以下の場合にはＳＴ６０にて庫内ファン１４をＯＦＦしてからＳＴ５１に戻り運転を継続する。ＳＴ５５にて冷凍室１０内の温度が所定温度Ｂ以下でない場合は、ＳＴ５６にて圧縮機１１が停止してから所定時間Ｙが経過したかどうかを判断し、所定時間Ｙを経過していた場合には、ＳＴ５７にて圧縮機１１をＯＮ（再起動）させる。ここで、ＳＴ５６にて所定時間Ｙを経過していない場合には、ＳＴ５５に戻り、運転を継続する。
【００９４】
ＳＴ５７にて圧縮機１１が再起動すると冷凍室１０内が冷却されて冷凍室１０内の温度が低下してくるので、ＳＴ５８にて再度冷凍室１０内の温度が所定温度Ｂ以下かどうか判断し、もしも所定温度Ｂ以下の場合にはＳＴ５９にて圧縮機１１と庫内ファン１４の両方をＯＦＦして再度ＳＴ５１に戻って、運転を継続する。ここで、ＳＴ５８にて冷凍室１０内の温度が所定温度Ｂ以下でないと判断された場合は、ＳＴ５８に戻って運転を継続する。
【００９５】
したがって、本実施の形態では、貯蔵室である冷凍室１０内の温度が所定の第１温度（Ａ点温度）以上になった場合に圧縮機１１および庫内ファン１４を起動する圧縮機・庫内ファン起動ステップと、冷凍室１０内の温度が所定の第１温度（Ａ点温度）よりも低い所定の第２温度（Ｅ点温度）以下になった場合に圧縮機１１を停止させる圧縮機停止ステップと、圧縮機１１の停止後から所定時間Ｙが経過しても冷凍室１０内の温度が所定の第３温度（Ｂ点温度）まで低下しない場合に所定時間Ｙ経過後に圧縮機１１を再起動させる圧縮機再起動ステップと、を備えたので、所定時間Ｙ経過後に圧縮機１１を再起動させる圧縮機再起動ステップを追加するだけの簡単な制御を行なうだけで貯蔵室内が冷却不足の状態に陥らず、食品の損傷を防止できる。また、必要なときだけ圧縮機を起動するように制御できるので、圧縮機の運転時間を短くでき、消費電力も低減できる。
【００９６】
また、貯蔵室である冷凍室１０内の温度が所定の第２温度（Ｅ点温度）よりも低い所定の第３温度（Ｂ点温度）以下になった場合に圧縮機１１および庫内ファン１４を停止させる圧縮機・庫内ファン停止ステップを備え、冷却に必要な最小限の時間だけ圧縮機１１と庫内ファン１４を運転するようにしたので、圧縮機１１および庫内ファン１４の運転時間を短くでき、消費電力の低減が行なえる少エネルギな冷蔵庫を得ることができる。また、貯蔵室（冷凍室１０）内の温度を庫内ファン１４の運転だけで冷却に必要な下限温度まで冷却することができない場合でも、圧縮機１１を再起動して冷却に必要な下限温度まで冷却するようにしているので、食品の損傷も起こらない信頼性の高い冷蔵庫を得ることができる。
【００９７】
また、実施の形態１でも説明したように圧縮機１１は従来の冷凍室１０内の温度Ｂよりも高い温度Ｅで停止するが、冷凍室１０内の負荷が小さい場合で冷凍室１０内の負荷が急激に上昇したりしない場合は、冷凍室１０内の温度は、圧縮機１１の停止後、従来の冷却終了温度Ｂ（圧縮機ＯＦＦ温度）まで庫内ファン１４が運転されて冷却されるため、冷凍室１０内の温度は従来と同様に必要なレベルの温度Ｂまで冷却でき、鮮度も維持できる。また、冷却器１４内の残留冷媒の熱容量も有効に活用でき、少エネルギで効率的に冷却できる冷蔵庫を得ることができる。
【００９８】
実施の形態５．
実施の形態４では、冷凍室内温度が上昇するのを防止するために、圧縮機１１停止後所定時間経過した場合に圧縮機１１を再起動させる制御の例を示したが、本実施の形態では、圧縮機１１停止後所定時間経過した場合だけでなく、冷却器１３の温度が所定温度以上に達した場合にも圧縮機１１を再起動させるように制御する例を示す。
【００９９】
本実施の形態において、実施の形態１〜実施の形態４と同等部分は同一の符号を付して説明は省略する。図１２は本発明の実施の形態５を表す冷蔵庫の冷凍室温度の変化、冷却器の温度変化、圧縮機および庫内ファンの運転状態を示すタイムチャート図である。また、図１３は本実施の形態を表す冷蔵庫の制御動作を表すフローチャート図である。
【０１００】
図１２において、横軸は時間を表し、縦軸は冷凍室温度の温度変化、冷却器の温度変化、圧縮機１１および庫内ファン１４のＯＮ／ＯＦＦ、圧縮機１１の再起動時期を把握するためのタイマによる運転時間測定のＯＮ／ＯＦＦをそれぞれ表している。図において、冷凍室温度を示す縦軸のＡ、Ｂ、Ｃ、Ｅ、Ｆは冷凍室１０内の温度を表しており、Ａ＞Ｅ＞Ｆ＞Ｂ＞Ｃである。また、冷却器温度を示す縦軸のＨ、Ｊ、Ｋは冷却器１３の出口温度あるいは入口温度のいずれかを表しており、Ｈ＞Ｊ＞Ｋである。
【０１０１】
冷凍室１０内に設けられ、冷凍室１０内の温度を検出する冷凍室温度検出手段３２により検出された冷凍室１０内の温度がＡ点（冷却開始温度であり、圧縮機をＯＮする温度）まで上昇した場合、圧縮機１１および庫内ファン１４を同時にＯＮする（Ｚ２１ポイント）。そして、冷凍室温度検出手段３２よりの検出温度が、従来の圧縮機ＯＦＦ温度であるＢ点よりも所定温度Ｋだけ高い温度Ｅ点まで冷却された場合、圧縮機１１を停止させる（Ｚ２２ポイント）。
【０１０２】
その後、冷却器１４内の残留冷媒の熱交換により冷凍室１０内の温度は低下していくので、冷凍室１０内の温度が所定温度Ｂまで到達した場合には、実施の形態１で説明したように庫内ファン１４を停止させる。しかし、冷凍室１０内の負荷が増加した場合など、冷凍室１０内の温度が所定温度Ｂ点まで低下せずＦ点温度までしか低下しない場合（Ｚ２３ポイント）が考えられるため、本実施の形態では、実施の形態４で説明した圧縮機１１が停止してから所定時間Ｙが経過した場合に圧縮機１１を再起動させる制御に加えて、冷却器１３の温度を検出して冷却器１３の温度が所定温度以上に達した場合にも、制御手段５０により圧縮機１１を再起動させるようにしている。
【０１０３】
すなわち、圧縮機１１が停止してから所定時間Ｙが経過する前に、冷却器１３の温度が所定温度Ｊまで上昇した場合には庫内ファン１４は停止させずに圧縮機１１をＯＮして再起動させて（Ｚ２４ポイント）冷却し、冷凍室１０内の温度がＢ点まで低下した時点で圧縮機１１および庫内ファン１４を停止させる（Ｚ２５ポイント）ようにしている。もちろん、冷凍室１０内の温度が所定時間Ｙ内に庫内ファン１４の停止温度であるＢ点まで低下した場合（Ｚ２６ポイント）には、庫内ファン１４は停止される。
【０１０４】
本実施の形態では、庫内温度検出手段３２により検出された貯蔵室である冷凍室１０内の温度が所定の第１温度（Ａ点温度）以上の場合は圧縮機１１及び庫内ファン１４を起動させ、冷凍室１０内の温度が所定の第１温度（Ａ点温度）よりも低い所定の第２温度（Ｅ点温度）まで低下した場合には圧縮機１１を停止させ、圧縮機１１の停止後、冷却器１３の温度を検出する冷却器温度検出手段（冷却器入口温度検出手段３１ａや冷却器出口温度検出手段３１ｂなど）により検出された冷却器１３の温度が所定温度Ｊ以上になった場合に圧縮機１１を起動させて冷凍室１０内を冷却するように制御手段５０が制御を行なう。
【０１０５】
すなわち、本実施の形態では、冷却器入口温度検出手段３１ａや冷却器出口温度検出手段３１ｂなどによって冷却器１３の温度を検出して冷却器１３内の残留冷媒の熱交換のみによる冷却だけでは冷却不足となる所定温度Ｊまで冷却器１３の温度が上昇した場合には、圧縮機１１を再起動させて、圧縮機１１と庫内ファン１４の両方による冷却運転を再開して、庫内ファン１４のＯＦＦ温度であるＢ点に達した時点で圧縮機１１と庫内ファン１４の両方を停止させるようにしている。
【０１０６】
したがって、冷却器１３の温度が所定温度Ｊ以上まで上昇した場合には圧縮機１１を再起動させて冷凍室１０内を冷却するようにしているので、冷却器１３内の残留冷媒の熱容量だけでは、これ以上の冷却が不可であるような温度Ｊ以上まで冷却器１３の温度が上昇して、このまま庫内ファン１４の運転をつづけても冷凍室１０内の温度が上昇して食品などの損傷が発生するような場合でも、冷却器１３の温度を検出して圧縮機１１を再起動させるため、貯蔵室内の冷却不足の状態を回避でき、信頼性の高い少エネルギな冷蔵庫を得ることができる。また、ユーザーの使用状況や、周囲環境の変化による冷蔵庫の負荷量の変動にも柔軟に対応して冷却不足を回避することができる。また、庫内ファン１４のＯＦＦ温度であるＢ点に達した時点で圧縮機１１と庫内ファン１４の両方を停止させるようにしているので、冷却に必要な時間だけ圧縮機１１および庫内ファン１４を運転させることができるため、圧縮機１１および庫内ファン１４の運転時間を短くでき、消費電力の少ない少エネルギな冷蔵庫が得られる。
【０１０７】
次に図１３を用いて制御動作について説明する。図において、ＳＴ６１は冷凍室温度が所定温度Ａ以上かどうかを判断する冷凍室温度第１判断ステップ、ＳＴ６２は圧縮機１１と庫内ファン１４を運転開始する圧縮機・庫内ファン運転開始ステップ、ＳＴ６３は冷凍室温度が所定温度Ｅ以下かどうかを判断する冷凍室温度第２判断ステップ、ＳＴ６４は圧縮機の運転を停止させる圧縮機運転停止ステップ、ＳＴ６５は冷凍室温度が所定温度Ｂ以下かどうかを判断する冷凍室温度第３判断ステップである。
【０１０８】
ＳＴ６６は冷凍室温度１０内が所定温度Ｅ以下になってから所定時間経過したかどうかを判断する所定時間判断ステップ、ＳＴ６７は圧縮機１１をＯＮする圧縮機ＯＮステップ、ＳＴ６８は冷凍室１０内の温度が所定温度Ｂ以下かどうかを判断する冷凍室温度第４判断ステップ、ＳＴ６９は圧縮機１１と庫内ファン１４の両方をＯＦＦする圧縮機・庫内ファンＯＦＦステップ、ＳＴ７０は冷却器１３の温度が所定温度Ｊ以上かどうかを判断する冷却器温度判断ステップである。
【０１０９】
ＳＴ６１にて冷凍室温度検出手段３２により検出された冷凍室１０内の温度が所定温度Ａ（冷却開始温度であり圧縮機ＯＮ温度）以上かどうかを判断し、もしも所定温度Ａ以上の場合には、ＳＴ６２にて圧縮機１１および庫内ファン１４をＯＮする。そして、ＳＴ６３にて、検出された冷凍室１０内の温度が所定温度Ｅ以下かどうかを判断し、もし、冷凍室１０内の温度が所定温度Ｅ以下の場合には、ＳＴ６４にて圧縮機１１をＯＦＦする。もしも、ＳＴ６３にて冷凍室１０内の温度が所定温度Ｅ以下でない場合は圧縮機１１をＯＦＦせず運転を継続する。
【０１１０】
ここで、ＳＴ６４にて圧縮機１１をＯＦＦした後は、ＳＴ６５にて冷凍室１０内の温度が所定温度Ｂ以下どうかを判断し、冷凍室１０内の温度が所定温度Ｂ以下の場合には庫内ファン１４を停止させてＳＴ６１に戻り運転を継続する。ＳＴ６５にて冷凍室１０内の温度が所定温度Ｂ以下でない場合は、ＳＴ６６にて圧縮機１１が停止してから所定時間Ｙが経過したかどうかを判断し、所定時間Ｙを経過していた場合には、ＳＴ６７にて圧縮機１１をＯＮさせる。ここで、ＳＴ６６にて所定時間Ｙを経過していない場合には、ＳＴ７０にて冷却器１３の温度が所定温度Ｊ以上かどうかを判断し、もし所定温度Ｊ以上でない場合はＳＴ６５に戻り、再度冷凍室１０内の温度が所定温度Ｂ以下かどうか判断しながら運転を継続する。
【０１１１】
ここで、ＳＴ７０にて冷却器１３の温度が所定温度Ｊ以上の場合には、ＳＴ６７にて圧縮機１１をＯＮする。圧縮機１１が再起動されると冷凍室１０内の温度が低下してくるので、ＳＴ６８にて再度冷凍室１０内の温度が所定温度Ｂ以下かどうか判断し、所定温度Ｂ以下の場合にはＳＴ６９にて圧縮機１１と庫内ファン１４の両方をＯＦＦして再度ＳＴ６１に戻って運転を継続する。ここで、ＳＴ６８にて冷凍室１０内の温度が所定温度Ｂ以下でないと判断された場合は、冷凍室１０内の温度が所定温度Ｂ以下になるまで運転を継続する。
【０１１２】
したがって、貯蔵室である冷凍室１０内の温度が所定の第１温度（Ａ点温度）以上になった場合に圧縮機１１および庫内ファン１４を起動する圧縮機・庫内ファン起動ステップと、冷凍室１０内の温度が所定の第１温度（Ａ点温度）よりも低い所定の第２温度（Ｅ点温度）以下になった場合に圧縮機１１を停止させる圧縮機停止ステップと、冷却器１４の温度が所定温度Ｊ以上になった場合に圧縮機１１を再起動させる圧縮機再起動ステップと、を備えたので、冷却器１３内の残留冷媒の熱容量だけでは冷凍室１０内の温度が上昇して冷却不足が発生するような場合でも、冷却器１３の温度が所定温度Ｊまで上昇した場合に圧縮機１１を再起動させるだけの簡単な制御を行なうだけで、冷凍室１０内を冷却に必要な下限温度（Ｂ点温度）まで冷却でき、冷却不足の状態が回避できる。
【０１１３】
また、貯蔵室である冷凍室１０内の温度が所定の第２温度（Ｅ点温度）よりも低い所定の第３温度（Ｂ点温度）以下になった場合に圧縮機１１および庫内ファン１４を停止させる圧縮機・庫内ファン停止ステップを備え、冷却に必要な温度になるまで圧縮機と庫内ファンを運転するようにしたので、簡単な制御にて圧縮機および庫内ファンの運転時間を短くでき、消費電力の低減が行なえる少エネルギな冷蔵庫の運転方法を得ることができる。
【０１１４】
また、貯蔵室（冷凍室１０）内の温度を庫内ファン１４の運転だけで冷却に必要な下限温度まで冷却することができない場合でも、圧縮機１１を再起動して冷却に必要な下限温度まで冷却するようにしているので、食品の損傷も起こらない信頼性の高い冷蔵庫を得ることができる。
【０１１５】
また、実施の形態１でも説明したように圧縮機１１は従来の冷凍室１０内の温度Ｂよりも高い温度Ｅで停止させるので、圧縮機１１の運転時間を低減できる。また、冷凍室１０内の負荷が小さい場合で冷凍室１０内の負荷が急激に上昇したりしない場合は、冷凍室１０内の温度は、圧縮機１１の停止後、従来の冷却終了温度Ｂ（圧縮機ＯＦＦ温度）まで庫内ファン１４が運転されて冷却されるため、冷凍室１０内の温度は従来と同様に必要なレベルの温度Ｂまで冷却でき、鮮度も維持できる。また、冷却器１４内の残留冷媒の熱容量も有効に活用でき、少エネルギで効率的に冷却できる冷蔵庫および冷蔵庫の運転方法を得ることができる。
【０１１６】
また、本実施の形態では、実施の形態４でも説明したように、圧縮機１１が停止してから所定時間Ｙが経過した場合でも、圧縮機１１を再起動させて冷凍室１０内を冷却するように制御するので、冷凍室１０内の温度は従来と同様に必要なレベルの温度Ｂまで冷却でき、冷却不足の状態が発生しないため、食品の損傷を防止でき鮮度を維持できる。また、必要なときだけ圧縮機を起動するようにしたので、圧縮機の運転時間を短縮でき、消費電力も低減できる。
【０１１７】
実施の形態６．
実施の形態１では、庫内ファン１４を冷凍室１０内の温度が所定温度に到達した場合に停止させるようにしたが、本実施の形態では、冷凍室１０内の温度が所定温度に達した場合に庫内ファン１４を停止させずに冷気送風用のダンパのみを閉じて冷却室１３ａ内と冷却室１３ａからダンパまでの送風路内の脱臭を行なうようにしている。本実施の形態では、実施の形態１と同等部分は同一の符号を付して説明は省略する。
【０１１８】
図１４は本発明の実施の形態６を表す冷蔵庫の冷凍室温度の変化および圧縮機、庫内ファンの運転状態を示すタイムチャート図である。また、図１５は制御動作を表すフローチャート図である。図１４において、横軸は時間を表し、縦軸は冷凍室温度の温度変化、圧縮機１１および庫内ファン１４のＯＮ／ＯＦＦ状態を表している。図において、冷凍室温度を示す縦軸のＡ、Ｂ、Ｃ、Ｅは冷凍室１０内の温度を表しており、Ａ＞Ｅ＞Ｂ＞Ｃである。
【０１１９】
冷凍室１０内に設けられ、冷凍室１０内の温度を検出する冷凍室温度検出手段３２により検出された冷凍室１０内の温度がＡ点（冷却開始温度であり、圧縮機１１をＯＮする温度）まで上昇した場合、圧縮機１１および庫内ファン１４を同時にＯＮする（Ｚ５１ポイント）。このとき、冷凍室用ダンパ１５ｃも開放する。そして、従来は冷凍室温度検出手段３２よりの検出温度が、必要な冷却下限温度であるＢ点よりも所定温度Ｋだけ高い温度であるＥ点まで冷却された場合に、圧縮機１１を停止させる（Ｚ５２ポイント）。ここで、所定温度Ｋは、圧縮機容量、冷却器容量、風路構成、貯蔵室の容量などによって異なるので、実験などにより予め冷却不足とならない温度に設定される。本実施の形態では所定温度Ｋは０．５〜５ｄｅｇ程度に設定している。
【０１２０】
そして、冷却器１４内の残留冷媒の熱交換により冷凍室１０内の温度が低下して、冷凍室温度検出手段３２の温度が従来の圧縮機１１のＯＦＦ温度であるＢ点（冷却下限温度）に達した時点（Ｚ５３ポイント）で各ダンパ（１５ａ、１５ｂ、１５ｃ）を閉じて冷凍室１０内の冷却を終了させる。このとき脱臭運転モードであれば、脱臭運転を行なうため庫内ファン１４の運転を継続させて、所定の時間Ｘ２が経過した時点で庫内ファン１４を停止させて脱臭運転を終了させる。もしも脱臭運転モードでなければ実施の形態１と同様に庫内ファン１４を停止させるようにしている。
【０１２１】
ここで、脱臭装置２２に用いられる脱臭用フィルタについて図１５を用いて説明する。図１５は本発明の実施の形態６を表すフィルタの構成について説明するための図である。図において、２３は脱臭装置２２の内部に組み込まれた脱臭用フィルタであり、２３ｂで示したようにゼオライト１１５や酸化マンガン１１６、活性炭１１７、酸化銅１１９などを繊維状のパルプ１１８に添着し、その後、紙状にしたものを２３ａで示すようにダンボールのように構成したものや、２３ｃで示したように上述した各材料の粒子を焼結して構成したものなどが用いられる。
【０１２２】
このような成分で構成した脱臭用フィルタ２３を有する脱臭装置２２を冷蔵庫本体１内の各貯蔵室内へ冷気を送風する送風路内に配置することにより、冷蔵庫本体１内の各室に貯蔵されている食品などから発生する臭気成分（いやなにおいの成分）であるメチルメルカプタンやトリメチルアミンなどを脱臭用フィルタ２３が吸着するので、冷蔵庫本体１の各貯蔵室から発生したいやなにおいが脱臭される。特に脱臭装置２２は図１６のようにバイパス流路２１を塞ぐように設けた方がよい。
【０１２３】
図１６は本発明の実施の形態６を表す脱臭装置２２の取付状態を表した図である。図において、２１はバイパス流路、２３は脱臭用フィルタ、２４は脱臭用フィルタ２３をリフレッシュするためのリフレッシュ手段である。図において、脱臭用フィルタ２３はバイパス流路２１を塞ぐように取りつけられているので、バイパス流路２１内を通過する冷気が全て脱臭用フィルタ２３を通過するようになり、脱臭効率が向上する。
【０１２４】
ここで、脱臭用フィルタ２３としては、光触媒である酸化チタンを担持するようにしてもよい。脱臭用フィルタ２３に酸化チタンを使用し、リフレッシュ手段に発光ダイオードを使用する構成にすると、構成が簡単で、信頼性の高い低コストな脱臭装置が得られるため、信頼性が高く、低コストでいやな臭いのしない冷蔵庫を提供できる。また、ブラックライトなどの他のリフレッシュ手段を用いるよりも小型化できる。
【０１２５】
また、脱臭装置２２を、冷気の臭気成分を吸着する脱臭用フィルタ２３と、脱臭用フィルタ２３に吸着した臭気成分を酸化還元反応で分解してフィルタの寿命延ばす作用を有する紫外線を発生するＬＥＤ発光装置などのリフレッシュ手段２４と、によって構成すれば、脱臭用フィルタ２３の寿命が延びるので、脱臭用フィルタ２３の交換の手間が少なく低コストで、いやな臭いのしない信頼性の高い冷蔵庫を提供できる。また、リフレッシュ手段２４により脱臭用フィルタ２３がリフレッシュされるため、脱臭用フィルタ２３を小さくすることができるので、バイパス流路２１を小型化でき、さらに脱臭運転時に効率良く脱臭装置２２の脱臭用フィルタ２３に冷気を通過させることができ、脱臭効率の大きな小型でコンパクトな冷蔵庫を得ることができる。
【０１２６】
次に、脱臭運転モードについて、図２を用いて説明する。ユーザーが脱臭運転スイッチをＯＮして脱臭運転を要求した場合、あるいは制御手段５０などが脱臭運転を要求した場合に、脱臭運転モードに入るようにしている。たとえば、冷蔵庫本体１の前面や側面などに脱臭運転用スイッチを設けた場合は、このスイッチをＯＮにすることで脱臭運転モードに入るようにすればよい。また、制御手段５０内のマイコンに予め脱臭運転を行なう時間を設定している場合は、設定時間が来ると脱臭運転モードに入るようにすればよい。ここで、脱臭運転スイッチは、冷蔵庫の正面などに設置された液晶などによる表示パネル上に設けてもよい。
【０１２７】
そして、脱臭運転モードに入っていれば、各貯蔵室へ冷気を供給する送風路（冷凍室用送風路２０Ａ、冷蔵室用送風路１９Ａ、切替室用送風路や野菜室用送風路など）に設けられている各ダンパ（冷凍室用ダンパ１５Ｃ、冷蔵室用ダンパ１５Ａ、切替室用ダンパ１５Ｂなど）を全て閉にして、庫内ファン１４を運転することにより冷却器室１３ａ内及び各ダンパまでの送風路内の冷気を脱臭装置２２が設けられているバイパス流路２１内に供給して冷却器室１３ａ内及び冷却器室１３ａから各ダンパまでの送風路内の冷気の脱臭を行なう。
【０１２８】
すなわち、本実施の形態では、庫内温度検出手段３２により検出された貯蔵室である冷凍室１０内の温度が所定の第１温度（Ａ点温度）以上の場合は圧縮機１１および庫内ファン１４を起動させ、冷凍室１０内の温度が所定の第１温度（Ａ点温度）よりも低い所定の第２温度（Ｅ点温度）まで低下した場合には圧縮機１１を停止させ、冷凍室１０内の温度が所定の第２温度（Ｅ点温度）よりも低い所定の第３温度（Ｂ点温度）まで低下した場合にはダンパを閉じるように制御手段５０が制御を行なうので、ダンパを閉じることにより冷却器１３とダンパとの間の送風路内あるいは冷却器室１３ａ内の冷気をバイパス流路２１内の脱臭装置２２に供給することができ冷気の脱臭が行なわれる。
【０１２９】
したがって、本実施の形態では、各ダンパを閉じて庫内ファン１４を運転させることにより、冷却器１３より送風された冷気がバイパス流路２１内の脱臭装置２２を通過して冷却器１３に戻るようなショートサイクルが起こるようにバイパス流路２１を配置しているので、冷蔵庫の各貯蔵室内で発生した異臭が蓄積されやすい冷却器１３や冷却器室１３ａ内の脱臭が効率よく行え、悪臭のしない清潔感のある冷蔵庫を提供できる。また、バイパス流路２１を冷却器室１３ａや送風路とは独立に設ければ、バイパス流路２１が冷却器室１３ａや送風路の大きさや長さなどの影響を受けなくなるので、脱臭装置２２やバイパス流路２１の設置の自由度が大きくなり、低コストな冷蔵庫が得られる。
【０１３０】
また、ダンパ遮断後から所定時間Ｘ２経過後に庫内ファン１４を停止させるようにして脱臭運転を終了させるようにしたので、冷却器１３や冷却器室１３ａの大きさや容積、あるいは冷却器室１３ａからダンパまでの送風路内の容積などに合わせて脱臭運転を行なわせる所定時間Ｙを実験などにより必要最小限に設定することができ、庫内ファン１４の運転時間も必要最小限に抑えることが可能な、少エネルギーでいやな臭いのしない冷蔵庫を得ることができる。
【０１３１】
ここで、脱臭運転は、除霜用ヒータ１２をＯＮして冷却器１３に着霜した霜を溶かす除霜運転と併用して行なうと脱臭効果が大きい。除霜運転中は、冷却器１３内に霜とともに閉じ込められたにおい成分が溶け出して冷却器室１３ａ内に充満してくるので、除霜運転と併用して脱臭運転を行なうと、この霜とともに溶け出してきたいやなにおいの成分を脱臭装置２２の脱臭用フィルタ２３により吸着させることができ、いやなにおいの発生しない清潔感のある冷蔵庫を得ることができる。
【０１３２】
次に図１７を用いて本実施の形態を表す冷蔵庫の制御動作について説明する。図において、ＳＴ１１１は冷凍室１０内の温度が所定温度Ａ以上かどうかを判断する冷凍室温度第１判断ステップ、ＳＴ１１２は圧縮機１１と庫内ファン１４を運転開始させ、冷凍室用ダンパ１５Ｃを開放する圧縮機・庫内ファン運転開始ステップ、ＳＴ１１３は冷凍室１０内の温度が所定温度Ｅ以下かどうかを判断する冷凍室温度第２判断ステップ、ＳＴ１１４は圧縮機１１の運転を停止させる圧縮機運転停止ステップである。
【０１３３】
ＳＴ１１５は冷凍室１０内の温度が所定温度Ｂ以下かどうかを判断する冷凍室温度第３判断ステップ、ＳＴ１１６は脱臭運転モードかどうかを判断する脱臭運転モード判断ステップ、ＳＴ１１７は各貯蔵室（冷凍室１０、冷蔵室７、切替室８など）に冷気を供給する全てのダンパを閉塞するダンパ閉塞ステップ、ＳＴ１１８はダンパが閉塞されてから所定時間Ｘ２が経過したかどうかを判断するダンパ所定時間判断ステップ、ＳＴ１１９は庫内ファン１４の運転を停止させる庫内ファン停止ステップである。
【０１３４】
ＳＴ１１１にて冷凍室温度検出手段３２により検出された冷凍室１０内の温度が所定温度Ａ（冷却開始温度であり、圧縮機をＯＮする温度）以上かどうかを判断し、所定温度Ａ以上の場合には、ＳＴ１１２にて圧縮機１１および庫内ファン１４をＯＮにし、冷凍室１０内に冷気を供給する冷凍室用送風路２０Ａ内に設けられ、冷凍室１０内に冷気量を調整する冷凍室用ダンパ１５Ｃを開放する。そして、ＳＴ１１３にて、検出された冷凍室１０内の温度が所定温度Ｅ以下かどうかを判断し、冷凍室１０内の温度が所定温度Ｅ以下の場合には、ＳＴ１１４にて圧縮機１１をＯＦＦする。もしもＳＴ１１３にて冷凍室１０内の温度が所定温度Ｅ以下でない場合には圧縮機１１をＯＦＦせずＳＴ１１３に戻って運転を継続する。
【０１３５】
ここで、ＳＴ１１４にて圧縮機１１をＯＦＦした後は、ＳＴ１１５にて冷凍室１０内の温度が所定温度Ｂ以下どうかを判断し、冷凍室１０内の温度が所定温度Ｂ以下の場合にはＳＴ１１６にて脱臭運転モードかどうかを判断する。ＳＴ１１６にて脱臭運転モードに入っている場合には、ＳＴ１１７にて各貯蔵室に冷気を供給する全てのダンパ（冷凍室用ダンパ１５Ｃ、冷蔵室用ダンパ１５Ａなど）を閉塞させる。その後、ＳＴ１１８にてダンパが閉塞してからの時間を制御手段５０内のマイコンなどにより測定し、制御手段５０はダンパが閉塞されてから所定時間Ｘ２が経過したかどうかを判断する。
【０１３６】
ＳＴ１１８にて所定時間Ｘ２が経過していると判断された場合はＳＴ１１９にて庫内ファン１４を停止させる。もしも、ＳＴ１１８にて所定時間Ｘ２が経過していないと判断した場合には、庫内ファン１４を停止させずにＳＴ１１８に戻って運転を継続する。ここで、ＳＴ１１６にて脱臭運転モードでない場合には、実施の形態１と同様にＳＴ１１９にて庫内ファン１４を停止させる。ＳＴ１１９にて庫内ファン１４を停止させると冷凍室１０内の温度が上昇してくるので、ＳＴ１１１に戻って運転を継続する。
【０１３７】
したがって、ＳＴ１１６にて脱臭運転モードに入っている場合には、庫内ファン１４の運転を継続した状態で各貯蔵室に冷気を供給する送風路内に設けられた全てのダンパを閉塞するため、冷却器室１３ａ内及び冷却器室１３ａから各ダンパまでの送風路内に設けられているバイパス流路２１内に冷気を供給することができるので、バイパス流路２１内に設けられた脱臭装置２２により冷却器室１３ａ内及び冷却器室１３ａから各ダンパまでの送風路内の冷気の脱臭が行なえる。
【０１３８】
すなわち、貯蔵室である冷凍室１０内の温度が所定の第１温度（Ａ点温度）以上になった場合に圧縮機１１および庫内ファン１４を起動する圧縮機・庫内ファン起動ステップと、冷凍室１０内の温度が所定の第１温度（Ａ点温度）よりも低い所定の第２温度（Ｅ点温度）以下になった場合に圧縮機１１を停止させる圧縮機停止ステップと、冷凍室１０内の温度が所定の第２温度（Ｅ点温度）よりも低い所定の第３温度（Ｂ点温度）以下になった場合に冷却器１３により生成される冷気を各貯蔵室に供給する送風路内に設けられて各貯蔵室内に供給される冷気量を調整する全てのダンパを閉塞させるダンパ閉塞ステップと、を備え、脱臭モードの場合に全てのダンパを閉じることにより冷却器１３が設置されている冷却器室内１３ａあるいは冷却器１３とダンパとの間の送風路内に設けられた脱臭装置に冷気を通過させて冷気の脱臭を行なうようにしたので、貯蔵室である冷凍室１０内の温度が所定の第３温度に達した時点で全てのダンパを閉じるようにするだけの簡単な制御にていやなにおいのしない清潔感のある冷蔵庫の運転方法が得られる。
【０１３９】
また、実施の形態１でも説明したように、圧縮機１１を従来のＯＦＦ温度であるＢ点よりもＫだけ高いＥ点温度で停止するようにしているので、圧縮機１１の運転時間を従来に比べてＸ１時間だけ短縮でき、少エネルギな冷蔵庫および冷蔵庫の運転方法を得ることができる。また、冷却器１４内の残留冷媒の熱容量も有効に活用できるので、エネルギを有効活用して冷却できる冷蔵庫および冷蔵庫の運転方法を得ることができる。また、冷凍室１０内の温度は従来と同等な必要温度Ｂ点まで冷却できるので、食品の損傷などが発生せず、信頼性の高い冷蔵庫を得ることができる。
【０１４０】
また、本実施の形態では、ダンパを閉塞してから所定時間Ｘ２が経過した時点で庫内ファン１４の運転を停止させる庫内ファン停止ステップを備え、脱臭運転を終了させるようにしているので、簡単な制御にて脱臭運転を行なう所定時間Ｘ２を必要最小限に設定することができるため、庫内ファン１４の運転時間を必要最小限に抑えることが可能な少エネルギーでいやな臭いのしない清潔感のある冷蔵庫の運転方法を得ることができる。
【０１４１】
ここで、実施の形態１〜実施の形態６にて説明した所定の第１温度であるＡ点温度は温度制御を行ないたい貯蔵室の冷却に必要な冷却上限温度であり、また、所定の第３温度であるＢ点温度は温度制御を行ないたい貯蔵室の冷却に必要な冷却下限温度であり、貯蔵室内の温度は、所定の第１温度と所定の第３温度の間に入るように制御手段５０により制御されるので、冷却不足による食品の損傷や冷却過多による無駄な冷却が行なわれず、最適な貯蔵室内温度が得られ、しかも無駄に電力を消費しない少エネルギで食品損傷の起こらない信頼性の高い冷蔵庫を得ることができる。
【０１４２】
また、実施の形態１〜実施の形態６では、貯蔵室として冷凍室１０を例にして説明してきたが、冷凍室１０は他の温度帯の貯蔵室よりも温度帯が低いため、外気温度の影響を受けやすく庫内の温度上昇がはやいので、保存している冷凍食品などが損傷しやすい。したがって、本発明の貯蔵室内の温度制御を温度帯の低い冷凍室１０や製氷室などに木目細かな庫内温度の制御が行なえる本制御を適用した方が効果が大きく、貯蔵室内の温度上昇を最小限に抑える事ができ、食品の鮮度や信頼性を確保できる。また、−９℃〜−５℃レベルの温度範囲で制御される新温度帯の貯蔵室でも、貯蔵室内の温度が−５℃よりも高くなると保存食品の損傷が著しく早くなるため、木目細かな庫内温度の制御が行なえる本制御を適用した方がその効果は大きい。
【０１４３】
実施の形態７．
ここで、実施の形態１〜実施の形態６では、冷蔵庫の貯蔵室として冷凍室１０に適用した例について説明してきたが、別に貯蔵室は冷凍室でなくてもよく、冷蔵室７、切替室８、野菜室９、製氷室、チルド室など全ての温度帯の貯蔵室であっても適用できる。以下、一例として実施の形態１で説明した冷凍室１０内の庫内温度の制御を冷蔵室７に適用した場合について説明する。
【０１４４】
実施の形態１では、圧縮機１１および庫内ファン１４の運転制御を冷凍室１０内の温度を検出する冷凍室温度検出手段３２の検出温度に基づいて制御する例を示したが、本実施の形態では、圧縮機１１および庫内ファン１４の運転制御を冷凍室用温度検出手段３２以外の温度検出手段である冷蔵室用温度検出手段３３の検出温度に基づいて制御する場合について説明する。すなわち、本実施の形態では、実施の形態１での冷凍室１０内の温度制御を冷蔵室７内の温度制御に適用したものであり、制御に使用する温度検出手段および制御する温度帯が異なるだけで、制御方法は実施の形態１と同等である。
【０１４５】
図１８は本発明の実施の形態７を表す冷蔵庫の冷蔵室温度の変化および圧縮機、庫内ファンの運転状態を示すタイムチャート図である。また、図１９は本実施の形態を表す冷蔵庫の制御動作を表すフローチャート図である。図において、実施の形態１と同等部分は同一の符号を付して説明は省略する。図１８において、横軸は時間を表し、縦軸は冷蔵室温度の温度変化、圧縮機１１および庫内ファン１４のＯＮ／ＯＦＦを表している。図において、冷蔵室温度を示す縦軸のＡ１、Ｂ１、Ｃ１、Ｅ１は冷蔵室７内の温度を表しており、Ａ１＞Ｅ１＞Ｂ１＞Ｃ１である。
【０１４６】
冷蔵室７内に設けられ、冷蔵室７内の温度を検出する冷蔵室温度検出手段３３により検出された冷蔵室７内の温度がＡ１点（冷却開始温度であり、圧縮機をＯＮする温度）まで上昇した場合、圧縮機１１および庫内ファン１４を同時にＯＮする。そして、従来は冷蔵室温度検出手段３３よりの検出温度が、従来の圧縮機ＯＦＦ温度であり、冷却に必要な下限温度であるＢ１点で圧縮機１１と庫内ファン１４を同時に停止させていたが、本実施の形態では、冷却に必要な下限温度であるＢ１点よりも所定温度Ｋ１だけ高い温度Ｅ１点まで冷却された場合に、圧縮機１１を停止させる。
【０１４７】
そして、冷却器１４内の残留冷媒の熱交換により冷蔵室７内の温度が低下して、冷蔵室温度検出手段３３の温度が従来の圧縮機のＯＦＦ温度であり冷却下限温度であるＢ１点まで達すると庫内ファン１４を停止させる。ここで、所定温度Ｋ１は、実施の形態１で説明した所定温度Ｋと同様に決定され、本実施の形態では、所定温度Ｋ１は０．５〜５ｄｅｇ程度に設定されている。
【０１４８】
次に図１９を用いて本実施の形態の冷蔵庫の制御動作について説明する。図において、ＳＴ２１は冷蔵室温度が所定温度Ａ１以上かどうかを判断する冷蔵室温度第１判断ステップ、ＳＴ２２は圧縮機１１と庫内ファン１４を運転開始する圧縮機・庫内ファン運転開始ステップ、ＳＴ２３は冷蔵室温度が所定温度Ｅ１以下かどうかを判断する冷蔵室温度第２判断ステップ、ＳＴ２４は圧縮機の運転を停止させる圧縮機運転停止ステップ、ＳＴ２５は冷蔵室温度が所定温度Ｂ１以下かどうかを判断する冷蔵室温度第３判断ステップ、ＳＴ２６は庫内ファン１４の運転を停止させる庫内ファン停止ステップである。
【０１４９】
ＳＴ２１にて冷蔵室温度検出手段３３により検出された冷蔵室７の温度が所定温度Ａ１（冷却開始温度であり、圧縮機をＯＮする温度）以上かどうかを判断し、所定温度Ａ１以上の場合には、ＳＴ２２にて圧縮機１１および庫内ファン１４をＯＮする。そして、ＳＴ２３にて、検出された冷蔵室７内の温度が所定温度Ｅ１以下かどうかを判断し、冷蔵室７内の温度が所定温度Ｅ１以下の場合には、ＳＴ２４にて圧縮機１１をＯＦＦする。もしもＳＴ２３にて冷蔵室７内の温度が所定温度Ｅ１以下でないと判断された場合には圧縮機１１をＯＦＦせず、ＳＴ２３に戻って再度冷蔵室７内の温度が所定温度Ｅ１以下かどうかを判断して運転を継続する。
【０１５０】
ここで、ＳＴ２４にて圧縮機１１をＯＦＦした後は、ＳＴ２５にて冷蔵室７内の温度が所定温度Ｂ１以下どうかを判断し、もしも冷蔵室７内の温度が所定温度Ｂ１以下の場合にはＳＴ２６にて庫内ファン１４をＯＦＦする。もしもＳＴ２５にて冷蔵室７内の温度が所定温度Ｂ１以下でない場合には庫内ファン１４をＯＦＦせずＳＴ２５に戻って再度冷蔵室７内の温度が所定温度Ｂ１以下どうかを判断して運転を継続する。ＳＴ２６にて庫内ファン１４を停止すると冷蔵室７内の温度が上昇してくるので、ＳＴ２１に戻って、再度冷蔵室７の温度が所定温度Ａ１以上かどうかを判断するようにして運転を継続する。
【０１５１】
したがって、圧縮機１１は従来の冷蔵室内温度Ｂ１よりも高い温度Ｅ１で停止するが、冷蔵室７内の温度は庫内ファン１４の運転により、従来の冷却終了温度であり、圧縮機ＯＦＦ温度であるＢ１点まで冷却できるので、冷蔵室７の温度は従来と同様に必要な温度レベルである温度Ｂ１まで冷却でき、食品の損傷の起こらない信頼性の高い冷蔵庫を得ることができる。また、圧縮機１１が従来の庫内温度Ｂ１よりも高い温度Ｅ１で停止するため、従来に比べて圧縮機１１の運転時間がＸ１だけ短縮でき、冷却器１４内の残留冷媒の熱容量も有効に活用できるので、少エネルギで効率的に冷却できる冷蔵庫を得ることができる。
【０１５２】
このように、冷凍室１０内の温度制御だけでなく、本実施の形態のように冷蔵室７内の温度制御にも適用でき、信頼性が高く少エネルギな冷蔵庫を得ることができる。ここで、冷蔵室７や冷凍室１０以外のその他の貯蔵室（たとえば、切替室８、野菜室９や貯氷室など）の温度を利用して貯蔵室内温度の制御を行っても同様な効果が得られるのはいうまでもない。特に各貯蔵室（たとえば、切替室８、野菜室９や貯氷室など）を独立させて温度制御を行えば木目細かな温度制御が行なえるので、更なる少エネルギで信頼性の高い冷蔵庫が得られる。
【０１５３】
【発明の効果】
本発明の請求項１に係る冷蔵庫は、食品を貯蔵する貯蔵室と、前記貯蔵室内に設けられ、前記貯蔵室内の温度を検出する庫内温度検出手段と、圧縮機とともに冷凍サイクルを構成し、前記貯蔵室内を冷却する冷気を生成する冷却器と、前記冷却器にて生成された冷気を記貯蔵室に供給する庫内ファンと、前記庫内温度検出手段により検出された前記貯蔵室内の温度が前記圧縮機及び前記庫内ファンを起動させる所定の第１温度よりも低い所定の第２温度まで低下した場合には前記圧縮機を停止させ、前記貯蔵室内の温度が前記所定の第２温度よりも低い所定の第３温度まで低下した場合には前記庫内ファンを停止させるように制御する制御手段と、を備えたので、従来に比べて圧縮機の運転時間が短縮でき、冷却器内の残留冷媒の熱容量も有効に活用でき、少エネルギで効率的に冷却できる冷蔵庫を得ることができる。
【０１５４】
また、本発明の請求項２に係る冷蔵庫は、前記圧縮機が停止してから所定時間内に前記庫内温度検出手段により検出された前記貯蔵室の温度が前記所定の第３温度まで低下しない場合は、前記所定時間経過後に前記庫内ファンを停止させるようにしたので、庫内ファンを運転させることによる冷却器の温度上昇の影響を受けて貯蔵室内が急激に温度上昇するのを抑制でき、冷却不足の状態が発生せず、食品の損傷を防止できる。
【０１５５】
また、本発明の請求項３に係る冷蔵庫は、前記冷却器の温度を検出する冷却器温度検出手段を設け、前記圧縮機が停止してから所定時間内に前記冷却器温度検出手段により検出された前記冷却器の温度が所定温度以上になった場合は、前記庫内ファンを停止させるようにしたので、冷却器の温度上昇に伴って必要な温度まで冷却できなくなった冷気を庫内ファンにて貯蔵室内に供給することによる貯蔵室内の温度の急激な上昇を抑制でき、食品などの損傷を抑制でき、信頼性の高い冷蔵庫を提供できる。
【０１５６】
また、本発明の請求項４に係る冷蔵庫は、食品を貯蔵する貯蔵室と、前記貯蔵室内に設けられ、前記貯蔵室内の温度を検出する庫内温度検出手段と、圧縮機とともに冷凍サイクルを構成し、前記貯蔵室内を冷却する冷気を生成する冷却器と、前記冷却器にて生成された冷気を前記貯蔵室に供給する庫内ファンと、前記庫内温度検出手段により検出された前記貯蔵室内の温度が前記圧縮機及び前記庫内ファンを起動させる所定の第１温度よりも低い所定の第２温度まで低下した場合には前記圧縮機を停止させ、前記圧縮機が停止してから所定時間経過後に前記圧縮機を再起動させるように制御する制御手段と、を備えたので、貯蔵室内温度が上昇しても、所定時間後に圧縮機が起動して冷却されるため、冷却不足の状態が発生せず、食品の損傷を防止できる。また、必要なときだけ圧縮機を起動するようにしたので、圧縮機の運転時間を短くでき、消費電力も低減できる。
【０１５７】
また、本発明の請求項５に係る冷蔵庫は、前記冷却器の温度を検出する冷却器温度検出手段を設け、前記圧縮機の停止後、前記冷却器温度検出手段により検出された前記冷却器の温度が所定温度以上になった場合に前記圧縮機を起動させるようにしたので、貯蔵室内温度が上昇しても、冷却器の温度を検出して圧縮機１１を再起動させるため、貯蔵室内の冷却不足の状態を回避でき、信頼性の高い少エネルギな冷蔵庫を得ることができる。また、必要なときだけ圧縮機を起動するようにしたので、圧縮機の運転時間を短くでき、消費電力も低減できる。
【０１５８】
また、本発明の請求項６に係る冷蔵庫は、前記庫内温度検出手段により検出された前記貯蔵室内の温度が前記所定の第２温度よりも低い所定の第３温度以下になった場合に前記圧縮機および前記庫内ファンを停止させるようにしたので、冷却に必要な時間だけ圧縮機および庫内ファンを運転させることができるため、圧縮機および庫内ファンの運転時間を短くでき、消費電力の少ない少エネルギな冷蔵庫が得られる。圧縮機および庫内ファンの運転時間を短くでき、消費電力の少ない少エネルギな冷蔵庫を得ることができる。
【０１５９】
また、本発明の請求項７に係る冷蔵庫は、食品を貯蔵する貯蔵室と、前記貯蔵室内に設けられ、前記貯蔵室内の温度を検出する庫内温度検出手段と、圧縮機とともに冷凍サイクルを構成し、前記貯蔵室内を冷却する冷気を生成する冷却器と、前記冷却器にて生成された冷気を前記貯蔵室内に供給するための送風路内に設けられ、前記貯蔵室に供給される冷気量を調整するダンパと、前記冷却器と前記ダンパとの間の送風路内あるいは前記冷却器が設置されている冷却器室内に設けられ、前記ダンパを閉じることにより前記冷却器と前記ダンパとの間の送風路内あるいは前記冷却器が設置されている冷却器室内の冷気の脱臭を行う脱臭装置と、前記庫内温度検出手段により検出された前記貯蔵室内の温度が前記圧縮機の起動する所定の第１温度よりも低い所定の第２温度まで低下した場合に前記圧縮機を停止させ、前記貯蔵室内の温度が前記所定の第２温度よりも低い所定の第３温度まで低下した場合には前記ダンパを閉じるように制御する制御手段と、を備えたので、冷蔵庫の各貯蔵室内で発生した異臭が蓄積されやすい冷却器や冷却器室内の脱臭が効率よく行え、悪臭のしない清潔感のある冷蔵庫を提供できる。また、圧縮機の運転時間を従来に比べて大幅に短縮でき、少エネルギな冷蔵庫を得ることができる。
【０１６０】
また、本発明の請求項８に係る冷蔵庫は、前記冷却器にて生成された冷気を前記送風路を介して前記貯蔵室に供給する庫内ファンを備え、前記ダンパ遮断後から所定時間経過後に前記庫内ファンを停止させるようにしたので、冷却器の大きさや冷却器室の容積や冷却器室からダンパまでの送風路内の容積などに合わせて脱臭運転を行なう所定時間を必要最小限に設定することができ、庫内ファンの運転時間も必要最小限に抑えることが可能な、少エネルギーでいやな臭いのしない冷蔵庫を得ることができる。
【０１６１】
また、本発明の請求項９に係る冷蔵庫は、前記脱臭装置を、冷気の臭気成分を吸着する脱臭用フィルタと、前記脱臭用フィルタに吸着した臭気成分を酸化還元反応で分解して前記脱臭用フィルタの寿命延ばす作用を有するリフレッシュ手段と、によって構成したので、脱臭用フィルタの寿命を延ばすことができ、脱臭用フィルタの交換の手間が少なく低コストで、いやな臭いのしない信頼性の高い冷蔵庫を提供できる。
【０１６２】
また、本発明の請求項１０に係る冷蔵庫は、前記貯蔵室を冷凍室や製氷室としたので、他の温度帯の貯蔵室よりも温度帯が低く、外気温度の影響を受けやすい冷凍室や製氷室であっても貯蔵室内の温度上昇を最小限に抑える事ができ、食品の鮮度や信頼性を確保できる。
【０１６３】
また、本発明の請求項１１に係る冷蔵庫は、前記所定の第１温度を前記貯蔵室の冷却に必要な上限温度とし、前記所定の第３温度を前記貯蔵室の冷却に必要な下限温度としたので、冷却不足による食品の損傷や冷却過多による無駄な冷却が行なわれず、最適な貯蔵室内温度が得られ、しかも無駄に電力を消費しない少エネルギで食品損傷の起こらない信頼性の高い冷蔵庫を得ることができる。
【０１６４】
また、本発明の請求項１２に係る冷蔵庫の運転方法は、圧縮機とともに冷凍サイクルに接続された冷却器により生成される冷気を庫内ファンにより食品を冷却保存する貯蔵室に供給する冷蔵庫の前記貯蔵室内の温度が所定の第１温度以上になった場合に前記圧縮機および庫内ファンを起動させる圧縮機・庫内ファン起動ステップと、前記貯蔵室内の温度が前記所定の第１温度よりも低い所定の第２温度以下になった場合に前記圧縮機を停止させる圧縮機停止ステップと、前記貯蔵室内の温度が前記所定の第２温度よりも低い所定の第３温度以下になった場合に前記庫内ファンを停止させる庫内ファン停止ステップと、を備えたので、従来のように所定の第３温度で圧縮機と庫内ファンを停止させる場合に比べて簡単な制御を追加するだけで圧縮機の運転時間を大幅に短縮でき、消費電力の少ない冷蔵庫の運転方法を得ることができる。
【０１６５】
また、本発明の請求項１３に係る冷蔵庫の運転方法は、前記圧縮機が停止してから所定時間経過しても前記貯蔵室内の温度が前記所定の第３温度以下にならない場合、あるいは前記冷却器の温度を検出する冷却器温度検出手段により検出された前記冷却器の温度が所定温度以上になった場合に前記庫内ファンを停止させる庫内ファン停止ステップと、を備えたので、貯蔵室内の温度が所定の第３温度まで低下しない場合に庫内ファンを停止させるだけの簡単な制御を行なうだけで庫内ファンの運転による冷却器の温度上昇の影響を受けて貯蔵室内が温度上昇して冷却不足の状態が発生するのを抑制できる。
【０１６６】
また、本発明の請求項１４に係る冷蔵庫の運転方法は、圧縮機とともに冷凍サイクルに接続された冷却器により生成される冷気を庫内ファンにより食品を冷却保存する貯蔵室に供給する冷蔵庫の前記貯蔵室内の温度が所定の第１温度以上になった場合に前記圧縮機および庫内ファンを起動させる圧縮機・庫内ファン起動ステップと、前記貯蔵室内の温度が前記所定の第１温度よりも低い所定の第２温度以下になった場合に前記圧縮機を停止させる圧縮機停止ステップと、前記圧縮機が停止してから所定時間が経過しても前記貯蔵室内の温度が前記所定の第２温度よりも低い所定の第３温度以下にならない場合、あるいは前記冷却器の温度が所定温度以上になった場合に前記圧縮機を再起動させる圧縮機再起動ステップと、を備えたので、所定時間経過後に圧縮機を再起動させる圧縮機再起動ステップを追加するだけの簡単な制御を行なうだけで貯蔵室内が冷却不足の状態に陥らず、食品の損傷を防止できる。また、必要なときだけ圧縮機を起動するように制御できるので、圧縮機の運転時間を短くでき、消費電力も低減できる。
【０１６７】
また、本発明の請求項１５に係る冷蔵庫の運転方法は、前記貯蔵室内の温度が前記所定の第２温度よりも低い前記所定の第３温度以下になった場合に前記圧縮機および前記庫内ファンを停止させる圧縮機・庫内ファン停止ステップを備えたので、冷却に必要な時間だけ圧縮機と庫内ファンを運転するようにしたので、冷却に必要な最小限の時間だけ圧縮機と庫内ファンを運転するようにでき、圧縮機および庫内ファンの運転時間を短くでき、消費電力の低減が行なえる少エネルギな冷蔵庫を得ることができる。
【０１６８】
また、本発明の請求項１６に係る冷蔵庫の運転方法は、圧縮機とともに冷凍サイクルに接続された冷却器により生成される冷気を庫内ファンにより食品を冷却保存する貯蔵室に送風路を介して供給する冷蔵庫の前記貯蔵室内の温度が所定の第１温度以上になった場合に前記圧縮機および庫内ファンを起動させる圧縮機・庫内ファン起動ステップと、前記貯蔵室内の温度が前記所定の第１温度よりも低い所定の第２温度以下になった場合に前記圧縮機を停止させる圧縮機停止ステップと、前記貯蔵室内の温度が前記所定の第２温度よりも低い所定の第３温度以下になった場合に前記貯蔵室内に供給される冷気量を調整するダンパを閉塞させるダンパ閉塞ステップと、を備え、前記ダンパを閉じることにより前記冷却器が設置されている冷却器室内、あるいは前記冷却器と前記ダンパとの間の送風路内に設けられた脱臭装置に前記庫内ファンにより冷気を供給して前記冷気の脱臭を行なうようにしたので、貯蔵室内の温度が所定の第３温度に達した時点で全てのダンパを閉じるようにするだけの簡単な制御にていやなにおいのしない清潔感のある冷蔵庫の運転方法が得られる。
【０１６９】
また、本発明の請求項１７に係る冷蔵庫の運転方法は、前記ダンパが閉塞されてから所定時間経過後に前記庫内ファンを停止させる庫内ファン停止ステップと、を備えたので、簡単な制御にて脱臭運転を行なう所定時間Ｘ２を必要最小限に設定することができるため、庫内ファン１４の運転時間を必要最小限に抑えることが可能な少エネルギーでいやな臭いのしない清潔感のある冷蔵庫の運転方法を得ることができる。
【図面の簡単な説明】
【図１】  本発明の実施の形態１を表す冷蔵庫の斜視図である。
【図２】  本発明の実施の形態１を表す冷蔵庫の側断面図である。
【図３】  本発明の実施の形態１を表す冷蔵庫の側断面図である。
【図４】  本発明の実施の形態１を表す冷蔵庫の冷凍室温度の変化、圧縮機および庫内ファンの運転状態を示すタイムチャート図である。
【図５】  本発明の実施の形態１を表す冷蔵庫の制御動作を表すフローチャート図である。
【図６】  本発明の実施の形態２を表す冷蔵庫の冷凍室温度の変化、圧縮機および庫内ファンの運転状態を示すタイムチャート図である。
【図７】  本発明の実施の形態２を表す冷蔵庫の制御動作を表すフローチャート図である。
【図８】  本発明の実施の形態３を表す冷蔵庫の冷凍室温度の変化および冷却器の温度変化、圧縮機および庫内ファンの運転状態を示すタイムチャート図である。
【図９】  本発明の実施の形態３を表す冷蔵庫の制御動作を表すフローチャート図である。
【図１０】  本発明の実施の形態４を表す冷蔵庫の冷凍室、圧縮機および庫内ファンの運転状態を示すタイムチャート図である。
【図１１】  本発明の実施の形態４を表す冷蔵庫の制御動作を表すフローチャート図である。
【図１２】  本発明の実施の形態５を表す冷蔵庫の冷凍室温度の変化および冷却器の温度変化、圧縮機および庫内ファンの運転状態を示すタイムチャート図である。
【図１３】  本発明の実施の形態５を表す冷蔵庫の制御動作を表すフローチャート図である。
【図１４】  本発明の実施の形態６を表す冷蔵庫の冷凍室温度の変化、圧縮機および庫内ファンの運転状態を示すタイムチャート図である。
【図１５】  本発明の実施の形態６を表す冷蔵庫のフィルタの構成について説明するための図である。
【図１６】  本発明の実施の形態６を表す冷蔵庫の脱臭装置２２の取付状態を表した図である。
【図１７】  本発明の実施の形態６を表す冷蔵庫の制御動作を表すフローチャート図である。
【図１８】  本発明の実施の形態７を表す冷蔵庫の冷蔵室温度の変化、圧縮機および庫内ファンの運転状態を示すタイムチャート図である。
【図１９】  本発明の実施の形態７を表す冷蔵庫の制御動作を表すフローチャート図である。
【図２０】  従来の冷蔵庫の冷凍室温度と圧縮機および庫内ファンの運転制御の様子を示したタイムチャート図である。
【符号の説明】
１  冷蔵庫本体、２  断熱箱体、３  冷蔵室用扉、４  切替室用扉、５  野菜室用扉、６  冷凍室用扉、７  冷蔵室、８  切替室、９  野菜室、１０  冷凍室、１１  圧縮機、１１ａ  機械室、１２  除霜用ヒータ、１３  冷却器、１３ａ冷却器室、１４  庫内ファン、１５Ａ  冷蔵室用冷気量調整ダンパ、１５Ｂ  切替室用冷気量調整ダンパ、１５Ｃ  冷凍室用冷気量調整ダンパ、１６  冷蔵室吹出し口、１７  切替室用吹出し口、１８  冷凍室用吹出し口、１９Ａ  冷蔵室用風路、２０Ａ  冷凍室用風路、２１  バイパス流路、２２  脱臭装置、２３  脱臭用フィルタ、３１ａ  冷却器入口温度検出手段、３１ｂ  冷却器出口温度検出手段、３２  冷凍室温度検出手段、３３  冷蔵室温度検出手段、３４  外気温度検出手段、５０  制御手段、１１５  ゼオライト、１１６  銅マンガン、１１７  活性炭、１１８  繊維状のパルプ、酸化銅１１９。
【図１】
0004523743.tif 000002
【図２】
0004523743.tif 000003
【図３】
0004523743.tif 000004
【図４】
0004523743.tif 000005
【図５】
0004523743.tif 000006
【図６】
0004523743.tif 000007
【図７】
0004523743.tif 000008
【図８】
0004523743.tif 000009
【図９】
0004523743.tif 000010
【図１０】
0004523743.tif 000011
【図１１】
0004523743.tif 000012
【図１２】
0004523743.tif 000013
【図１３】
0004523743.tif 000014
【図１４】
0004523743.tif 000015
【図１５】
0004523743.tif 000016
【図１６】
0004523743.tif 000017
【図１７】
0004523743.tif 000018
【図１８】
0004523743.tif 000019
【図１９】
0004523743.tif 000020
【図２０】
0004523743.tif 000021